(57)【特許請求の範囲】
【請求項１】
無線ネットワークにおけるチャンネル状態情報（ＣＳＩ）報告を送信する方法であって、
ＵＥが第１の送信モードで構成された第１のサービングセルの第１のＣＳＩ報告と、前記ＵＥが第２の送信モードで構成された第２のサービングセルの第２のＣＳＩ報告との間の、サブフレームでの衝突を確認するステップと、
前記衝突される第１のＣＳＩ報告及び第２のＣＳＩ報告の報告タイプの優先順位を比較するステップと、
前記第１のＣＳＩ報告及び前記第２のＣＳＩ報告の優先順位が同一である場合、前記第２のＣＳＩ報告のＣＳＩプロセスインデックスが１より大きいと、物理アップリンク制御チャンネル（ＰＵＣＣＨ）で前記第１のＣＳＩ報告を送信するステップと、を含むことを特徴とする送信方法。
【請求項２】
前記第１の送信モードは、送信モード１乃至９のうちの一つであり、前記第２の送信モードは、送信モード１０であることを特徴とする請求項１に記載の送信方法。
【請求項３】
前記第２のＣＳＩ報告は除去されることを特徴とする請求項２に記載の送信方法。
【請求項４】
前記第２のＣＳＩ報告のＣＳＩプロセスインデックスが１であると、前記第１のＣＳＩ報告及び前記第２のＣＳＩ報告のうち、高いサービングセルインデックスを有するＣＳＩ報告が除去されることを特徴とする請求項１に記載の送信方法。
【請求項５】
無線ネットワークにおけるチャンネル状態情報（ＣＳＩ）報告を受信する方法であって、
ＵＥが第１の送信モードで構成された第１のサービングセルの第１のＣＳＩ報告と、前記ＵＥが第２の送信モードで構成された第２のサービングセルの第２のＣＳＩ報告との間の、フレームでの衝突を確認するステップと、
前記衝突される第１のＣＳＩ報告及び第２のＣＳＩ報告の報告タイプの優先順位の比較結果を確認するステップと、
前記第１のＣＳＩ報告及び前記第２のＣＳＩ報告の優先順位が同一であり、前記第２のＣＳＩ報告のＣＳＩプロセスインデックスが１より大きいと確認される場合、物理アップリンク制御チャンネル（ＰＵＣＣＨ）で前記第１のＣＳＩ報告を送信するように前記ＵＥを構成するステップと、を含むことを特徴とする受信方法。
【請求項６】
前記第１の送信モードは、送信モード１乃至９のうちの一つであり、前記第２の送信モードは、送信モード１０であることを特徴とする請求項５に記載の受信方法。
【請求項７】
前記第２のＣＳＩ報告は除去されることを特徴とする請求項６に記載の受信方法。
【請求項８】
前記第２のＣＳＩ報告のＣＳＩプロセスインデックスが１であると、前記第１のＣＳＩ報告及び前記第２のＣＳＩ報告のうち、高いサービングセルインデックスを有するＣＳＩ報告が除去されることを特徴とする請求項５に記載の受信方法。
【請求項９】
請求項１乃至請求項４のいずれか一項の記載の方法を遂行するように構成されることを特徴とする送信装置。
【請求項１０】
請求項５乃至請求項８のいずれか一項の記載の方法を遂行するように構成されることを特徴とする受信装置。
【発明の詳細な説明】
【技術分野】
【０００１】
本発明は、一般的に協調マルチポイント（Coordinated multi-point：ＣｏＭＰ）通信及び／又はキャリアアグリゲーション（Carrier Aggregation :ＣＡ）通信に関し、より具体的にＣｏＭＰ及び／又はＣＡ通信用チャンネル状態情報（Channel State Information ：ＣＳＩ）フィードバックに関する。
【背景技術】
【０００２】
第３世代パートーナーシップロングタームエボリューション（3rd Generation Partnership Long Term Evolution；３ＧＰＰ ＬＴＥ）では、直交周波数分割多重化（Orthogonal Frequency Division Multiplexing）を、ダウンリンク（ＤＬ）送信方式で採択している。３ＧＰＰ ＬＴＥ通信システムは、基地局（ＢＳ又はノードＢ）からユーザ端末（ＵＥ）に信号を送信するダウンリンク（ＤＬ）、及びＵＥからノードＢに信号を送信するアップリンク（ＵＬ）を含む。ノードＢは、物理ＤＬ共有チャンネル（Physical DL Shared Channel ：ＰＤＳＣＨ）を利用してデータ情報をＵＥに送信し、物理ＤＬ制御チャンネル（Physical DL Control Channel：ＰＤＣＣＨ）を利用してＤＬ制御情報（DL Control Information ：ＤＣＩ）をＵＥに送信する。ＵＥは、ＰＤＳＣＨを利用してデータ情報をノードＢに送信し、ＰＤＣＣＨを利用してＤＣＩをノードＢに送信する。
【０００３】
ＵＣＩは、チャンネル品質指示子（Channel Quality Indicator：ＣＱＩ）情報とプリコーディングマトリックス指示子（ＰＭＩ）情報を含み得るチャンネル状態情報（Channel State Information：ＣＳＩ）を含む。ＣＳＩは、ノードＢにＵＥが経験するＤＬチャンネル状態を報告し、それによってノードＢは、ＵＥへのＰＤＳＣＨ又はＰＤＣＣＨ送信のための、送信電力、変調及びコーディング方式（ＭＣＳ）、及び他の類似の及び／又は適合したパラメータのような適切なパラメータを選択することができ、それぞれのデータ情報又はＤＣＩを送信するための所望のブロックエラー率（Block Error Rate：ＢＬＥＲ）を保障することができる。
【発明の概要】
【発明が解決しようとする課題】
【０００４】
ＵＥは、ノードＢから転送されたＤＬ基準信号（ＲＳ）に基づいてＣＳＩを測定する。相異なるＣＳＩプロセスは、相異なるＲＳから各々獲得されるか又はＤＬ ＢＷの相異なる部分で同一のＲＳから獲得され得る相異なるＣＳＩ測定と関連することができる。ＣＳＩは、ＰＵＣＣＨ又はＰＵＳＣＨで転送されることができる。ＰＵＣＣＨでのＣＳＩ送信は、周期的に発生するためにノードＢにより半静的に構成されるか又はノードＢにより動的にトリガされることができる。すなわち、ＰＵＳＣＨでのＣＳＩ送信は、ＰＵＳＣＨ送信をスケジューリングするＰＤＣＣＨにより転送されるＤＣＩフォーマットの“ＣＳＩ要請”フィールドを通した非周期的なＣＳＩであり、ノードＢにＰＤＳＣＨスケジューリングのための詳細情報を提供するために大量のＣＳＩペイロードをサポートすることができる。
【課題を解決するための手段】
【０００５】
複数のセルがユーザ端末（ＵＥ）に対してキャリアアグリゲーション（ＣＡ）で協調するように構成された無線ネットワークにおけるチャンネル状態情報（ＣＳＩ）報告を送信する方法を提供する。上記方法は、ＵＥが送信モード１乃至９のうちの一つで構成された一つのサービングセルの第１の物理アップリンク制御チャンネル（ＰＵＣＣＨ）ＣＳＩ報告と、ＵＥが送信モード１０で構成された他のサービングセルの第２のＰＵＣＣＨ ＣＳＩ報告との間の、サブフレームでの衝突を検出するステップを含む。上記方法は、上記衝突されるＰＵＣＣＨ ＣＳＩ報告の報告タイプの優先順位を比較するステップをさらに含む。上記方法は、同一の優先順位を有する衝突されるＰＵＣＣＨ ＣＳＩ報告の報告タイプに基づいて、第２のＰＵＣＣＨ ＣＳＩ報告のＣＳＩプロセスインデックスが１以外の正の値を有すると、第１のＰＵＣＣＨ ＣＳＩ報告を送信するステップをさらに含む。
【０００６】
さらに、複数のセルがユーザ端末（ＵＥ）に対してキャリアアグリゲーション（ＣＡ）で協調するように構成された無線ネットワークにおけるチャンネル状態情報（ＣＳＩ）報告を送信する装置を提供する。上記装置は、上記ＵＥが送信モード１乃至９のうちの一つで構成された一つのサービングセルの第１の物理アップリンク制御チャンネル（ＰＵＣＣＨ）ＣＳＩ報告と、上記ＵＥが送信モード１０で構成された他のサービングセルの第２のＰＵＣＣＨ ＣＳＩ報告との間の、フレームでの衝突を検出するように構成された処理回路を含む。処理回路は、上記衝突されるＰＵＣＣＨ ＣＳＩ報告の報告タイプの優先順位を比較するように構成される。処理回路は、同一の優先順位を有する衝突されるＰＵＣＣＨ ＣＳＩ報告の報告タイプに基づいて、第２のＰＵＣＣＨ ＣＳＩ報告のＣＳＩプロセスインデックスが１以外の正の値を有すると、第１のＰＵＣＣＨ ＣＳＩ報告を送信するように構成される。
【０００７】
さらに、複数のセルがユーザ端末（ＵＥ）に対してキャリアアグリゲーション（ＣＡ）で協調するように構成された無線ネットワークにおけるチャンネル状態情報（ＣＳＩ）報告を受信する装置を提供する。上記装置は、上記ＵＥが送信モード１乃至９のうちの一つで構成された一つのサービングセルの第１の物理アップリンク制御チャンネル（ＰＵＣＣＨ）ＣＳＩ報告と、上記ＵＥが送信モード１０で構成された他のサービングセルの第２のＰＵＣＣＨ ＣＳＩ報告との間の、フレームでの衝突を検出するように構成された処理回路を含む。処理回路は、上記衝突されるＰＵＣＣＨ ＣＳＩ報告の報告タイプの優先順位を比較するように構成される。処理回路は、同一の優先順位を有する衝突されるＰＵＣＣＨ ＣＳＩ報告の報告タイプに基づいて、第２のＰＵＣＣＨ ＣＳＩ報告のＣＳＩプロセスインデックスが１以外の正の値を有すると、第１のＰＵＣＣＨ ＣＳＩ報告を送信するようにＵＥを構成するように構成される。
【０００８】
複数のセルがキャリアアグリゲーション（ＣＡ）で協調するように構成された無線ネットワークにおけるチャンネル状態情報（ＣＳＩ）報告を受信する方法を提供する。上記方法は、ＵＥが送信モード１乃至９のうちの一つで構成された一つのサービングセルの第１の物理アップリンク制御チャンネル（ＰＵＣＣＨ）ＣＳＩ報告と、ＵＥが送信モード１０で構成された他のサービングセルの第２のＰＵＣＣＨ ＣＳＩ報告との間の、サブフレームでの衝突を検出するステップを含む。上記方法は、上記衝突されるＰＵＣＣＨ ＣＳＩ報告の報告タイプの優先順位を比較するステップをさらに含む。上記方法は、同一の優先順位を有する衝突されるＰＵＣＣＨ ＣＳＩ報告の報告タイプに基づいて、第２のＰＵＣＣＨ ＣＳＩ報告のＣＳＩプロセスインデックスが１以外の正の値を有すると、第１のＰＵＣＣＨ ＣＳＩ報告を送信するステップをさらに含む。
【０００９】
複数のセルがユーザ端末（ＵＥ）に対してキャリアアグリゲーション（ＣＡ）で協調するように構成された無線ネットワークにおけるチャンネル状態情報（ＣＳＩ）報告を受信する方法を提供する。上記方法は、少なくとも３個の１ビット変数を含む情報要素を用いて、送信モード１０で構成されたＵＥがそれぞれの非周期的なＣＳＩプロセスに対してそれぞれのＣＳＩ報告を生成するか否かを上位階層を介して構成するステップを含む。ここで、上記少なくとも３個の１ビット変数は、ＣＳＩ要請フィールドの状態‘０１’に対応するトリガ０１−ｒ１１、ＣＳＩ要請フィールドの状態‘１０’に対応するトリガ１０−ｒ１１、及びＣＳＩ要請フィールドの状態‘１１’に対応するトリガ１１−ｒ１１を含み、上記ＣＳＩ要請フィールドは、サービングセルに対する物理アップリンク共有チャンネル（ＰＵＳＣＨ）をスケジューリングするアップリンクＤＣＩフォーマットで伝達される。
【００１０】
複数のセルが送信モード１０で構成されたユーザ端末（ＵＥ）に対してキャリアアグリゲーション（ＣＡ）で協調するように構成された無線ネットワークにおけるチャンネル状態情報（ＣＳＩ）報告を受信する装置を提供する。上記装置は、少なくとも３個の１ビット変数を含む情報要素を用いて、それぞれの非周期的なＣＳＩプロセスに対してそれぞれのＣＳＩ報告を生成するか否かを上位階層を介して構成するように構成された処理回路を含む。ここで、上記少なくとも３個の１ビット変数は、ＣＳＩ要請フィールドの状態‘０１’に対応するトリガ０１−ｒ１１と、ＣＳＩ要請フィールドの状態‘１０’に対応するトリガ１０−ｒ１１、及びＣＳＩ要請フィールドの状態‘１１’に対応するトリガ１１−ｒ１１を含み、上記ＣＳＩ要請フィールドは、サービングセルに対する物理アップリンク共有チャンネル（ＰＵＳＣＨ）をスケジューリングするアップリンクＤＣＩフォーマットで伝達される。
【００１１】
複数のセルが送信モード１０で構成されたユーザ端末（ＵＥ）に対してキャリアアグリゲーション（ＣＡ）で協調するように構成された無線ネットワークにおけるチャンネル状態情報（ＣＳＩ）報告を送信する装置を提供する。上記装置は、少なくとも３個の１ビット変数を含む情報要素を用いて、それぞれの非周期的なＣＳＩプロセスに対してそれぞれのＣＳＩ報告（ら）を生成するか否かに対する上位階層の構成を受信するように構成された処理回路を含む。ここで、上記少なくとも３個の１ビット変数は、ＣＳＩ要請フィールドの状態‘０１’に対応するトリガ０１−ｒ１１と、ＣＳＩ要請フィールドの状態‘１０’に対応するトリガ１０−ｒ１１、及びＣＳＩ要請フィールドの状態‘１１’に対応するトリガ１１−ｒ１１を含み、上記ＣＳＩ要請フィールドは、アップリンクＤＣＩフォーマットでサービングセルに伝達される。
【００１２】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。制御部は、少なくとも１つの動作を制御する装置、システム又はその部分を意味するもので、ハードウェア、ファームウェア、ソフトウェア、又は、それらのうちの２つ以上の組合せで実現することができる。特定の制御部に関連する機能は、集中しているか、あるいは近距離、又は遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１３】
本発明のより完全な理解及びそれに従う利点は、添付された図面とともに考慮すれば、後述する詳細な説明を参照してより容易に理解できる。また、図面中、同一の参照符号は、同一であるか又は類似した構成要素を示す。
【図面の簡単な説明】
【００１４】
【図１】本発明の実施形態によるメッセージを送信する例としての無線システムを示す図である。
【図２】本発明の実施形態による直交周波数分割多重アクセス送信経路のハイレベルダイアグラムを示す図である。
【図３】本発明の実施形態による直交周波数分割多重アクセス受信経路のハイレベルダイアグラムを示す図である。
【図４】本発明の多様な実施形態を実施するために使用されることができる無線通信システムにおける送信器と受信器のブロック図を示す図である。
【図５】本発明の実施形態による異なるサービングセルのＣＳＩ報告間の衝突の場合、タイブレーク(tie-breaking) 動作を示すフローチャートである。
【発明を実施するための形態】
【００１５】
以下に説明する図１乃至図５及び本明細書において本発明の原理を説明するために使用される様々な実施形態は、例示に過ぎず、本発明の範囲を限定するものであると解釈されてはならない。当業者であれば、本発明の原理が適切に配置された任意の携帯端末で実現することができるものであることは自明である。
次の文書及び標準説明は、
３ＧＰＰ ＴＳ３６.２１１ Ｖ１０.５.０、“Ｅ−ＵＴＲＡ、 物理チャンネル及び変調”（ＲＥＦ１）、
３ＧＰＰ ＴＳ３６.２１２ ｖ１０.５.０、“Ｅ−ＵＴＲＡ、 多重化及びチャンネルコーディング”（ＲＥＦ２）、
３ＧＰＰ ＴＳ３６.２１３ｖ１０.５.０、“Ｅ−ＵＴＲＡ、 物理レイヤープロシージャ”（ＲＥＦ３）に明示されたように本開示に含まれる。
【００１６】
図１は、本発明の実施形態に従うメッセージを送信する好ましい無線システム１００を示す図である。開示された実施形態において、無線システム１００は、基地局（ＢＳ）１０１と、基地局（ＢＳ）１０２と、基地局（ＢＳ）１０３と、他の類似した基地局又はリレイステーション（図示せず）のような送信ポイント（例えば、次世代基地局（Evolved Node B：ｅＮＢ）、ノードＢ）とを含む。基地局１０１は、基地局１０２及び基地局１０３と通信している。基地局１０１は、インターネット１３０又は類似したＩＰ基盤（IP-based）システム（図示せず）とも通信している。
【００１７】
基地局１０２は、インターネット１３０に対する無線広帯域接続（基地局１０１を通した）を基地局１０２のカバレッジエリア１２０内で第１の複数のＵＥ（例えば、移動電話機、移動局、加入者局）に提供する。第１の複数のＵＥは、スモール・ビジネス（small business：ＳＢ）に位置し得るＵＥ１１１、エンタープライズ（enterprise：Ｅ）に位置し得るＵＥ１１２、ＷｉＦｉホットスポット（ＨＳ）に位置し得るＵＥ１１３、第１のレジデンス（residence：Ｒ）に位置し得るＵＥ１１４、第２のレジデンス（Ｒ）に位置し得るＵＥ１１５、セル電話機、無線ラップトップ、及び無線ＰＤＡなどのような移動デバイス（mobile device：Ｍ）であり得るＵＥ１１６を含む。
【００１８】
ネットワークタイプによって、“基地局（base station）”の代りに、“ｅＮｏｄｅＢ”又は“アクセスポイント（access point）”のような他の公知の用語が使用され得る。便宜上、用語“基地局”は、ここでは、遠隔端末に無線アクセスを提供するネットワークインフラ要素を称するために使用される。さらに、用語“ユーザ端末（user equipment）”又は“ＵＥ”は、基地局に無線で接続し、 消費者が無線通信ネットワークを通してサービスに接続するために使用することができる任意の遠隔無線装備を指示するために使用されるもので、ＵＥは移動デバイス（例えば、携帯電話）であるか又は固定デバイス（例えば、デスクトップ個人用コンピュータ、ベンディングマシン、など）であり得る。遠隔端末に対する他の公知の用語は、“移動局（ＭＳ）”、“加入者局（ＳＳ）”、“遠隔端末（ＲＴ）”、“無線端末（ＷＴ）”などを含む。
【００１９】
基地局１０３は、インターネット１３０に対する無線広帯域接続（基地局１０１を通した）を基地局１０３のカバレッジエリア１２５内で第２の複数のＵＥに提供する。第２の複数のＵＥは、ＵＥ１１５及びＵＥ１１６を含む。好ましい実施形態において、基地局１０１−１０３は、ＯＦＤＭ技術又はＯＦＤＭＡ技術を使用して、相互に、及びＵＥ１１１−１１６と通信できる。
【００２０】
一部の実施形態において、一つ以上の基地局１０１−１０３は、５Ｇ、ＬＴＥ、ＬＴＥ−Ａ、又は、本発明の実施形態で説明されたようなチャンネル状態情報の送信技術を含むＷｉＭＡＸ技術を使用して、相互に、及びＵＥ１１１−１１６と通信できる。
【００２１】
図１には、６個のＵＥだけが図示されているが、無線システム１００は、追加のＵＥに対する無線広帯域接続を提供することができる。ＵＥ１１５及びＵＥ１１６がカバレッジエリア１２０及びカバレッジエリア１２５のすべてのエッジに位置することに留意する。ＵＥ１１５及びＵＥ１１６の各々は、基地局１０２及び基地局１０３の両方と通信し、当該技術分野における当業者に知られているように、ハンドオフモードで動作され得る。
【００２２】
ＵＥ１１１−１１６は、ネットワーク１３０を通して、音声、データ、ビデオ、ビデオ会議、及び／又は他の広帯域サービスに接続できる。好ましい実施形態において、ＵＥ１１１−１１６の中の１つ又は複数は、ＷｉＦｉ  ＷＬＡＮのアクセスポイント（access point：ＡＰ）と関連することができる。ＵＥ１１６は、無線機器対応のラップトップコンピュータ（laptop computer）、個人用データ端末機（personal data assistant）、ノートブック、携帯用デバイス、又は他の無線機器対応のデバイスを含む複数の移動デバイスの中の１つであり得る。ＵＥ１１４及びＵＥ１１５は、例えば、無線機器対応の個人用コンピュータ（ＰＣ）、ラップトップコンピュータ、ゲートウェイ（gateway）、又は他のデバイスであり得る。
【００２３】
図２は、送信経路回路２００のハイレベル図である。例えば、送信経路回路２００は、直交周波数分割多重アクセス（ＯＦＤＭＡ）通信に対して使用され得る。図３は、受信経路回路３００のハイレベルダイアグラムである。例えば、受信経路回路３００は、直交周波数分割多重アクセス（ＯＦＤＭＡ）通信に対して使用され得る。図２及び図３において、ダウンリンク通信に対して、送信経路回路２００は、基地局（ＢＳ）１０２又は中継局で実行され得、受信経路回路３００は、ＵＥ（例えば、図１のＵＥ１１６）で実行され得る。他の例において、アップリンク通信に対して、受信経路回路３００は、基地局（例えば、図１の基地局１０２）又は中継局で実行され得、送信経路回路２００は、ＵＥ（例えば、図１のＵＥ１１６）で実行され得る。一部の実施形態で、送信経路２００及び受信経路３００は、本発明の状態情報実施形態で説明されたようなチャンネル状態情報の送信方法を実行するように構成される。
【００２４】
送信経路回路２００は、チャンネルコーディング及び変調ブロック２０５、直列−並列（serial-to-parallel：Ｓ−ｔｏ−Ｐ）ブロック２１０、サイズＮの逆高速フーリエ変換（Inverse Fast Fourier Transform：ＩＦＦＴ）ブロック２１５、並列−直列（parallel-to-serial：Ｐ−ｔｏ−Ｓ）ブロック２２０、プレフィックス追加ブロック２２５、及びアップコンバータ（ＵＣ）２３０を含む。受信経路回路３００は、ダウンコンバータ（ＤＣ）２５５、 サイクリックプレフィックス除去ブロック２６０、直列−並列（Ｓ−ｔｏ−Ｐ）ブロック２６５、Ｎサイズの高速フーリエ変換（ＦＦＴ）ブロック２７０、並列−直列（Ｐ−ｔｏ−Ｓ）ブロック２７５、及びチャンネルデコーディング及び変調ブロック２８０を含む。
【００２５】
図２及び図３に含まれているコンポーネントの中の少なくとも一部は、ソフトウェア（software）で具現されることができ、これとは異なり、他のコンポーネントは、構成可能ハードウェア（hardware）又はソフトウェアと構成可能なハードウェアの組み合せにより具現されることができる。特に、本開示文書で説明されるＦＦＴブロック及びＩＦＦＴブロックは、構成可能ソフトウェアアルゴリズムとして具現されることができ、ここで、サイズＮの値は、この具現に従って修正されることができる。
【００２６】
また、本開示が高速フーリエ変換及び逆高速フーリエ変換を具現する一実施形態に関するものであるが、これは、図示だけのためのであり、本開示の範囲を限定するものと解釈されてはいけない。本開示の他の実施形態において、高速フーリエ変換関数及び逆高速フーリエ変換関数は、それぞれ離散フーリエ変換（ＤＦＴ）関数及び逆離散フーリエ変換（Inverse Discrete Fourier Transform：ＩＤＦＴ）関数に容易に置き換えられることができることが理解されるであろう。ＤＦＴ関数及びＩＤＦＴ関数に対して、Ｎ変数の値は、任意の整数（すなわち、１、２、３、４など）であり得、他方、ＦＦＴ関数及びＩＦＦＴ関数に対して、Ｎ変数の値は、２の冪（すなわち、１、２、４、８、１６など）である任意の整数であり得る。
【００２７】
送信経路回路２００において、チャンネルコーディング及び変調ブロック２０５は、情報ビットの集合を受信し、コーディング（例えば、ターボコーディング）を入力ビットに適用し変調することにより（例えば、直交位相シフトキーイング（Quadrature Phase Shift Keying：ＱＰＳＫ）又は直交振幅変調（Quadrature Amplitude Modulation：ＱＡＭ））周波数−ドメイン（frequency-domain）変調シンボルのシーケンスを生成する。
【００２８】
直列−並列ブロック２１０は、直列変調されたシンボルを並列データに変換することにより（すなわち、逆多重化（de-multiplex）することにより）Ｎ個の並列シンボルストリームを生成する。ここで、Ｎは、ＢＳ１０２及びＵＥ１１６で使用されるＩＦＦＴ／ＦＦＴサイズである。その後に、サイズＮ  ＩＦＦＴブロック２１５は、Ｎ個の並列シンボルストリームに対してＩＦＦＴ動作を実行することにより、時間−ドメイン（time-domain）出力信号を生成する。並列−直列ブロック２２０は、サイズＮ  ＩＦＦＴブロック２１５からの並列時間−ドメイン出力シンボルを変換することにより（すなわち、多重化することにより）直列時間ドメイン信号を生成する。その後に、サイクリックプレフィックス付加ブロック２２５は、サイクリックプレフィックスを時間−ドメイン信号に挿入する。最後に、アップコンバータ２３０は、サイクリックプレフィックス付加ブロック２２５の出力を無線チャンネルを通した送信のためにＲＦ周波数に変調する（すなわち、アップコンバーティングする）。また、この信号は、ＲＦ周波数への変換の前に基底帯域でフィルタリングされ得る。
この送信されたＲＦ信号は、無線チャンネルを通して通過した後にＵＥ１１６に到着し、ＢＳ１０２での動作に対する逆動作が実行される。
【００２９】
ダウンコンバータ２５５は、受信された信号を基底帯域周波数にダウンコンバートし、サイクリックプレフィックス除去ブロック２６０は、サイクリックプレフィックスを除去することにより直列時間−ドメイン基底帯域信号を生成する。直列−並列ブロック２６５は、時間−ドメイン基底帯域信号を並列時間ドメイン信号に変換する。その後に、サイズＮ  ＦＦＴブロック２７０は、ＦＦＴアルゴリズムを実行することによりＮ個の並列周波数−ドメイン信号を生成する。並列−直列ブロック２７５は、並列周波数−ドメイン信号を変調されたデータシンボルのシーケンスに変換する。チャンネルデコーディング及び復調ブロック２８０は、変調されたシンボルを復調した後にデコーディングすることにより元来の入力データストリームを復旧する。
【００３０】
基地局１０１−１０３の各々は、ＵＥ１１１−１１６に対するダウンリンクでの送信と類似した送信経路を具現でき、ＵＥ１１１−１１６からのアップリンクでの受信と類似した受信経路を具現できる。同様に、ＵＥ１１１−１１６の各々は、基地局１０１−１０３に対するアップリンクでの送信のためのアーキテクチャに対応して送信経路を具現でき、基地局１０１−１０３からのダウンリンクでの受信のためのアーキテクチャに対応して受信経路を具現できる。
【００３１】
図４は、本発明の様々な実施形態を具現するために使用される無線通信システムにおける送信器４０５及び受信器４１０の構成を示すブロック図である。図４に示された送信器４０５及び受信器４１０の実施形態は、例示だけのためであり、他の実施形態は、本発明の範囲から外れることなく使用されることができる。
【００３２】
このような例示的な例において、送信器４０５及び受信器４１０は、例えば、図１の無線システム１００のような無線通信システムにおける通信ポイントでのデバイスである。一部の実施形態において、送信器４０５及び受信器４１０は、 基地局、例えば、進化したノードＢ（ｅＮＢ）、あるいは遠隔無線ヘッド（remote-radio head）、リレイステーション、又はアンダーレイ基地局（underlay base station）のような基地局と、ゲートウェイ（ＧＷ）又は基地局制御器（base station controller：ＢＳＣ）のようなネットワークエンティティであり得る。他の実施形態において、送信器４０５又は受信器４１０は、 ＵＥ（例えば、移動局、加入者局など）であり得る。一実施形態において、送信器４０５又は受信器４１０は、図１のＵＥ１１６の一実施形態の一例である。他の実施形態において、送信器４０５又は受信器４１０は、図１の基地局１０２の一実施形態の一例である。
【００３３】
送信器４０５は、アンテナアレイ４１５、位相シフター（phase shifter）４２０、ＴＸ処理回路（TX processing circuitry）４２５、及び制御器４３０を含む。送信器４０５は、アウトゴーイング基底帯域データ（outgoing baseband data）からアナログ又はデジタル信号を受信する。送信器４０５は、アウトゴーイング基底帯域データをエンコーディングし、多重化及び／又はデジタル化を行い、送信器４０５を通した転送及び／又は送信が行われる処理されたＲＦ信号を生成する。例えば、ＴＸ処理回路４２５は、図２において、送信処理回路２００と類似した送信経路を具現できる。また、送信器４０５は、複数の異なるビームで信号を送信するようにアンテナアレイ４１５で異なるアンテナにマッピングされるレイヤーを通して空間多重化（spatial multiplexing）を実行することができる。制御器４３０は、送信器４０５の全般的な動作を制御する。上記のような動作において、制御器４３０は、よく知られている原則に従って送信器４０５による信号の送信を制御する。
【００３４】
受信器４１０は、入力ＲＦ信号又は基地局、リレイステーション、無線ラジオヘッド、ＵＥなどのような１つ又はそれ以上の送信ポイントにより送信される信号をアンテナ（複数のアンテナ）４３５から受信する。受信器４１０は、受信信号（複数の信号）を処理することにより送信ポイント（複数の送信ポイント）により送信された情報を識別するＲｘ処理回路４４５を含む。例えば、Ｒｘ処理回路４４５は、入力ＲＦ信号（複数の信号）をダウンコンバーティングし、これにより、受信信号（複数の信号）のチャンネル推定、復調、ストリーム分割（stream separating）、フィルタリング、デコーディング及び／又はデジタル化を行うことにより中間周波数（intermediate frequency：ＩＦ）又は基底帯域信号を生成できる。例えば、Ｒｘ処理回路４４５は、図３における受信処理回路３００と類似した受信経路を具現できる。制御器４５０は、受信器４１０の全般的な動作を制御する。上記のような動作において、制御器４５０は、よく知られている原則に従って受信器４１０による信号の受信を制御する。
【００３５】
物理アップリンク共有チャンネル（ＰＵＳＣＨ）を利用した非周期的なチャンネル状態情報（ＣＳＩ）報告において、サブフレームｎでのサービングセルに対するアップリンクＤＣＩフォーマット又はランダムアクセス応答グラント（Random Access Response Grant）を復号する場合に、それぞれのＣＳＩ要請フィールドが報告をトリガするように構成され予備されていないと、ＵＥ１１６は、サブフレームｎ＋ｋでのサービングセルに対してＰＵＳＣＨを利用して非周期的なＣＳＩ報告を実行する。
【００３６】
ＣＳＩ要請フィールドが１ビットである場合、ＣＳＩ要請フィールドが‘１’と設定されると、サービングセルに対して報告がトリガされる。ＣＳＩ要請フィールドサイズが２ビットである場合、非周期的なＣＳＩ報告に対応する＜表１＞の値によって報告がトリガされる。ＵＥ１１６は、所定のサブフレームに対して一つより多くの非周期的なＣＳＩ報告要請を受信すると予定されない。
＜表１＞は、ＵＥ特定検索空間でダウンリンク制御情報（ＤＣＩ）フォーマットを有するＰＤＣＣＨに対するＣＳＩ要請フィールドを規定する。
【００３７】
【表１】
0006462571.tif 000002
【００３８】
ＤＣＩフォーマット０及びＤＣＩフォーマット４により与えられたようなＰＵＳＣＨ送信を許可するために使用されるＤＣＩフォーマットを有するＰＤＣＣＨは、共通動作がアドレスされた場合、アップリンクＤＣＩフォーマットと称される。
【００３９】
代案的に、その内容が本願に参照として含まれる、Ｒ１−１２３４７０は、以下のようにＣｏＭＰ及びキャリアアグリゲーション（ＣＡ）に対する非周期的なＣＳＩトリガリングに対するＣＳＩ要請フィールドでのビット数を規定する＜表２＞を提示する：
【００４０】
【表２】
0006462571.tif 000003
【００４１】
＜表２＞で、ＵＥに対するＣＳＩ要請フィールドのビット数は構成されたＤＬコンポーネントキャリア（ＣＣ）の数とＵＥに対して構成されたＣＳＩプロセスの数によって選択される。
【００４２】
Ｒ１−１２３４７０は、また以下のようにＵＥ特定検索空間でアップリンクグラントを有するＰＤＣＣＨに対する２ビットＣＳＩ要請フィールドの状態を規定する＜表３＞を提示する：
【００４３】
【表３】
0006462571.tif 000004
【００４４】
代案として、複数のＣＳＩがＣｏＭＰに対して構成された単一キャリアコンポーネント（ＣＣ）個性の場合、Ｒ１−１２３２９６は、ＵＥ特定検索空間でアップリンクグラントを有する物理ダウンリンク制御チャンネル（ＰＤＣＣＨ）に対する２ビットＣＳＩ要請フィールドの状態を規定する表４を提示する：
【００４５】
【表４】
0006462571.tif 000005
【００４６】
ＲＥＦ３のＲｅｌ−１０ ３ＧＰＰ ＴＳ３６.２１３は、以下のようにＵＣＩのみの送信に関連されたＵＥ動作を記述する：セクション８.６で、物理アップリンク共有チャンネルに対する変調順序、リダンダンシーバージョン及び転送ブロックサイズを決定するために、ＵＥは、まず“変調及びコーディング方式及びリダンダンシーバージョン”フィールド（ＩＭＣＳ）を読み出し、“ＣＳＩ要請”ビットフィールドをチェックし、セクション８.１で規定された手順に基づいて割り当てられたＰＲＢの総数（ＮＰＲＢ）を計算し、制御情報に対して符号化されたシンボルの数を計算する。
【００４７】
また、ＲＥＦ３のセクション８.６.１で、ＤＣＩフォーマット０が使用され、ＩＭＣＳ＝２９であるか、ＤＣＩフォーマット４が使用され、１ＴＢのみがイネーブルされ、イネーブルされたＴＢに対してＩＭＣＳ＝２９であり、送信階層のシグナリングされた数が１であり、“ＣＳＩ要請”ビットフィールドが１ビットであり、ビットが非周期的な報告をトリガするように設定され、ＮＰＲＢ≦４であるか、“ＣＳＩ要請”ビットフィールドが２ビットであり、＜表１＞によって一つのサービングセルに対する非周期的なＣＳＩ報告をトリガリングし、ＮＰＲＢ≦４であるか、“ＣＳＩ要請”ビットフィールドが２ビットであり、＜表１＞によって一つ以上のサービングセルに対して非周期的なＣＳＩ報告をトリガリングし、ＮＰＲＢ≦２０であると、変調順序は、Ｑｍ＝２と設定される。
【００４８】
ＵＣＩのみのトリガリング条件に対して、セクション８.６.２は、ＤＣＩフォーマット０が使用され、ＩＭＣＳ＝２９であるか、ＤＣＩフォーマット４が使用され、１ＴＢのみがイネーブルされ、イネーブルされたＴＢに対してＩＭＣＳ＝２９であり、送信階層の数が１であり、“ＣＳＩ要請”ビットフィールドが１ビットであり、非周期的なＣＳＩ報告をトリガするように設定され、ＮＰＲＢ≦４であるか、“ＣＳＩ要請”ビットフィールドが２ビットであり、＜表１＞によって一つのサービングセルに対して非周期的なＣＳＩ報告をトリガし、そして、ＮＰＲＢ≦４であるか、“ＣＳＩ要請”ビットフィールドが２ビットであり、＜表１＞によって一つ以上のサービングセルに対して非周期的なＣＳＩ報告をトリガリングし、ＮＰＲＢ≦２０であると、ＵＬ−ＳＣＨに対して転送ブロック（ＴＢ）がなく、現在のＰＵＳＣＨ報告モードに対する制御情報フィードバックのみがＵＥにより転送される。
【００４９】
Ｒｅｌ−１１で、ＵＥがＤＬ ＣｏＭＰで構成されると、ＵＥは、複数の送信ポイントに対して非周期的なＣＳＩを報告するようにトリガされ得る。ＵＣＩのみのトリガリング条件で、非周期的なＣＳＩを報告するようにＵＥがトリガされると、非周期的なＣＳＩに対する符号率は大きく、これは、ｅＮＢ受信器で非周期的なＣＳＩの信頼性ある復号を妨害する。＜表５＞は、通常のＣＰに対してＱＰＳＫ変調、４ＲＢ割り当て及び２ＣＳＩ−処理報告を有するＣＱＩ符号率を羅列し、＜表６＞は、拡張されたＣＰに対してＱＰＳＫ変調、４ＲＢ割り当て及び２ＣＳＩ−処理報告を有するＣＱＩ符号率を羅列する。
【００５０】
【表５】
0006462571.tif 000006
【００５１】
【表６】
0006462571.tif 000007
【００５２】
ＲＥＦ２の３ＧＰＰ ＴＳ３６.２１２は、一つのＵＬセルでＰＵＳＣＨをスケジューリングするＤＣＩフォーマット０とＤＣＩフォーマット４を規定している。ＤＣＩフォーマット０は、一つのＵＬセルのＰＵＳＣＨをスケジューリングするのに使用され、フォーマット４は、多重アンテナポート送信モードを有する一つのＵＬセルでＰＵＳＣＨをスケジューリングするために使用される。
ＤＣＩフォーマット０は、部分的に次の情報を搬送する：キャリア指示子−０又は３ビット−このフィールドは、ＲＥＦ３の定義によって存在する；
【００５３】
【数１】
0006462571.tif 000008
【００５４】
変調及びコーディング方式及びリダンダンシーバージョン-ＲＥＦ３のセクション８.６で定義したように５ビット；ＣＳＩ要請-＜表１＞で定義したように１又は２ビット。２ビットフィールドは、対応するＤＣＩフォーマットがＲＥＦ３で定義されたようにＣ−ＲＮＴＩによって与えられたＵＥ特定検索空間にマッピングされる時、一つ以上のＤＬセルで構成されたＵＥのみに適用される。
ＤＣＩフォーマット４は、部分的に次の情報を搬送する：キャリア指示子−０又は３ビット−このフィールドは、ＲＥＦ３の定義によって存在する；
【００５５】
【数２】
0006462571.tif 000009
【００５６】
３ＧＰＰ Ｒｅｌ−１０で、ＰＤＣＣＨは、非周期的なＣＳＩ報告をトリガリングする２ビットフィールドを含む。このフィールドの二つの値の解析は、フィールド非周期的なＣＳＩトリガを利用してＲＲＣにより定義される。特に、それぞれの値に対して、フィールドがどのＳｃｅｌｌ（Secondary Cell）に対してトリガが適用されるか否かを規定する。これは、以下の抜粋文により示されたような、Ｐｃｅｌｌ（Primary Cell）の非周期的なＣＱＩ構成の一部である。
【００５７】
【数３】
0006462571.tif 000010
【００５８】
それぞれのＳｃｅｌｌの構造の一部として、例えば、次のようにトリガが適用可能であるか否かを規定することがより一貫的である。
【００５９】
【数４】
0006462571.tif 000011
【００６０】
Ｒｅｌ−１１で、状況は類似しているが、例外なものは、これから特定プロセスに対して特定トリガが適用可能であるか否かを規定することが可能であるべきであるという点である。これを実行する、最も自然の方式は、以下のようにプロセス特定構成の一部としてこれを規定するものである：
【００６１】
【数５】
0006462571.tif 000012
【００６２】
Ｒ１−１２３９３１は、ＵＥが以下のようにＣｏＭＰ（Coordinated Multi-Point）とＣＡ（Carrier Aggregation）で構成された場合、ＣＳＩの計算において、ＵＥ複雑性を減少させるための提案を提示する。キャリアアグリゲーションとＣｏＭＰを同時にサポートすることに合意した場合、特定コンポーネントキャリア（セルインデックス）に対して最大Ｘ個のＣＳＩプロセスが構成されることができ、マルチキャリアの場合、構成された全てのコンポーネントキャリアに対して最大２Ｘ個のＣＳＩプロセスが構成され得るか、プロセス処理の数（Ｙ）がＵＥ性能になる。
【００６３】
このような提案は、ＣｏＭＰとＣＡで構成されたＵＥがＴＢなしにＵＣＩのみを有するＰＵＳＣＨを送信するようにトリガされる時、発生する高い符号率問題を解決するための方案を提供する必要性を表す。例えば、Ｘ＝３である時、ＵＣＩのみのＰＵＳＣＨでのＣＳＩに対する最大ビット数は、単一セルでの単一ＴＰに対するＣＳＩに対応するビットの数の６Ｘであり得る。ＬＴＥ Ｒ１０での以前のソリューションは、ＣｏＭＰと関連された高い符号率の問題を考慮していなく、これは、本発明の動機となる。
【００６４】
上述したように、Ｘは、非周期的なＣＳＩ報告に対して構成可能なＣＳＩプロセスの最大数である。ＣＳＩ導出に対する合理的なＵＥ複雑度を考慮すれば、一つの代案では、Ｘ＝３であり、他の代案では、Ｘ＝４である。
Ｙの値の一例は５であり、これは３ＧＰＰ ＬＴＥ Ｒｅｌ−１０で規定されたＤＬ ＣＣの最大構成可能な数と同一である。
【００６５】
ＤＬ ＣｏＭＰで構成された（又は少なくとも一つのサービングセルで一つ以上のＣＳＩプロセスで構成された）ＵＥにより転送されたＵＣＩのみのＰＵＳＣＨでｅＮＢがＵＣＩ（又はＣＳＩ）を信頼性あるように復号するためには、新たなセットのＵＣＩのみのＰＵＳＣＨトリガリング条件がそのようなＵＥに対して定義されなければならない。ＵＣＩ（又はＣＳＩ）の信頼性ある復号のために、新たなセットのＵＣＩのみのＰＵＳＣＨトリガリング条件は、ＣＳＩの符号率が臨界数、例えば、０.５より小さいことを保障できなければならない。しかしながら、ＬＴＥ標準で規定された現在のセットの条件がＤＬ ＣｏＭＰで構成されたＵＥに対して再使用されると、ＵＣＩのみのＰＵＳＣＨでのＣＳＩの符号率が＜表６＞に示された例示のように、拡張されたＣＰが使用され、ＣＱＩ、Ａ／Ｎ、ＲＩ及びＳＲＳがＵＣＩのみのＰＵＳＣＨと同一のサブフレームで転送される時、非常に大きくなる（〜０.５）。
【００６６】
本発明の実施形態は、ＰＵＳＣＨでの非周期的なＣＳＩ報告がＣｏＭＰ及び／又はＣＡに対してトリガされる時にも、ＵＣＩのみのＰＵＳＣＨ受信の信頼性を０.５より小さく向上させるために幾つの方法を提案する。
【００６７】
ＣｏＭＰで構成されたＵＥに対してＴＢなしにＵＣＩのみを搬送するＰＵＳＣＨに対して符号率を低く（例えば、＜０.５）維持するために、ＰＵＳＣＨでの現在非周期的なＣＳＩ報告が関連された少なくともＣＳＩプロセスの数によってＵＣＩのみのＰＵＳＣＨのトリガリングのためのＰＲＢの数（ＴＰＲＢ）を変更することを提案する。ＵＣＩのみのＰＵＳＣＨのトリガリングのための条件のうちの一つは、ＮＰＲＢ≦ＴＰＲＢであることに留意する。ＵＥ１１６がＣＡで構成された場合、ＵＣＩのみのＰＲＢの臨界数もまたＰＵＳＣＨでの非周期的なＣＳＩ報告と関連されたサービングセルの数によって変更される。
【００６８】
本発明による第１の方案は、ＣＳＩ要請フィールドの表選択に関連する。一部の実施形態で、ＵＥ１１６が一つ以上のＣＳＩプロセスで構成される時、ＣＳＩ要請ビットフィールドでのビットの数は、２として決定され、＜表２＞又は＜表３＞の一つが非周期的なＣＳＩトリガリングに対して選択される。
【００６９】
一方、ＵＥ１１６に対するＣＳＩ要請ビットフィールドサイズは、３ＧＰＰ ＬＴＥ Ｒｅｌ−１０標準でのようにＵＥ１１６に対して構成されたＤＬ ＣＣの数によっても変更される。
【００７０】
３ＧＰＰ ＬＴＥ Ｒｅｌ−１０標準は、構成されたＤＬ ＣＣの数が１より多ければ、ＣＳＩ要請フィールドサイズが２ビットであり、構成されたＤＬ ＣＣの数が１であると、サイズが１ビットであることを記述している。
【００７１】
一部の実施形態で、ＵＥ１１６は、下記によってＵＬグラントＤＣＩフォーマット（すなわち、ＤＣＩフォーマット０及び４）に対してＣＳＩ要請ビットサイズを決定する。ＤＣＩフォーマット０に対して、ＣＳＩ要請フィールドは、＜表１＞又は＜表２＞及び＜表３＞から選択された表によって１又は２ビットを有する。２ビットフィールドは、一つ以上のＤＬセル又は 一つ以上のＣＳＩプロセスで構成されたＵＥのみに適用され、該当ＤＣＩフォーマットがＲＥＦ３により定義されたＣ−ＲＮＴＩによって与えられたＵＥ特定検索空間にマッピングされる時のみに適用される。
【００７２】
また、ＤＣＩフォーマット４に対して、ＣＳＩ要請フィールドは、＜表１＞又は＜表２＞及び＜表３＞から選択された表によって１又は２ビットを有する。２ビットフィールドは、一つ以上のＤＬセル又は一つ以上のＣＳＩプロセスで構成されたＵＥのみに適用される。
【００７３】
ＵＥ複雑性を低く維持するために、一定の実施形態で、一つ以上のＤＬサービングセルで構成されたＵＥ１１６は、一つ以上のＤＬサービングセルのいずれにも一つ以上のＣＳＩプロセスで構成されることに予定されない。これらの場合で、＜表１＞は、一つ以上のＤＬ ＣＣで構成されたＵＥ１１６に使用される。＜表２＞及び＜表３＞から選択された表は、単一ＤＬサービングセル及びＤＬサービングセルでの一つ以上のＣＳＩプロセスで構成されたＵＥ１１６に使用される。
【００７４】
代案的に、完全なネットワーク構成の可変性（ＣＡ及びＣｏＭＰの）を提供するために、一つ以上のＤＬサービングセルで構成されたＵＥ１１６は、また一つ以上のＤＬサービングセルの一部での一つ以上のＣＳＩプロセスで構成されることができる。
【００７５】
一つの代案は、構成されたＤＬサービングセルで構成されたＣＳＩプロセスの数に基づいてＵＥ１１６が非周期的なＣＱＩトリガリング表を決定するものである。言い換えれば、＜表１＞は、一つ以上のＤＬ ＣＣで構成されたＵＥ１１６に対して使用され、ＵＥ１１６は、一つ以上のＤＬ ＣＣの各々で単一ＣＳＩプロセス（又はレガシーＣＳＩ報告構成）で構成される。
【００７６】
＜表２＞及び＜表３＞で選択された表は、構成されたＤＬサービングセルのうちの少なくとも一つで一つ以上のＣＳＩプロセスで構成されたＵＥ１１６に使用される。このような代案は、ＵＥの表選択のための特別なシグナリングを導入しないことによりＲＲＣオーバーヘッドを低く維持する。
【００７７】
他の代案は、ＵＥ１１６がＲｅｌ−１０ＲＲＣ構成又はＲｅｌ−１１ＲＲＣ構成を受信するか否かに基づいて非周期的なＣＱＩトリガリング表を決定するように構成されるものである。＜表１＞は、一つ以上のＤＬ ＣＣとＲｅｌ−１０非周期的なＣＳＩ−トリガリング構成（又はＣＱＩ−報告非周期的な−ｒ１０のＲＲＣ構成）で構成されたＵＥ１１６に使用されるものである。
【００７８】
＜表２＞及び＜表３＞から選択された表は、Ｒｅｌ−１１非周期的なＣＳＩ−トリガリング構成（又はＣＱＩ−報告非周期的な−ｒ１１のＲＲＣ構成）で構成されたＵＥ１１６に使用される。このような代案により表を選択するＵＥが表を選択する具現が単純化される。
【００７９】
本発明による第２の実施形態で、ＰＲＢの臨界数は、非周期的なＣＳＩトリガリングに対して構成された表に基づいて決定される。一部の実施形態で、ＵＣＩのみのＰＵＳＣＨ、ＴＰＲＢを決定するために使用されるＰＲＢの臨界数は、＜表１＞が構成されるか、＜表２＞及び＜表３＞で選択された表が構成されるか否かによって決定される。ＵＥ１１６が＜表１＞で構成される場合、ＴＰＲＢは、ＲｅＬ−１０標準でのように決定され；そうではなく、ＵＥ１１６が＜表２＞及び＜表３＞で選択された表で構成される場合、構成されたサービングセルの数と構成されたＣＳＩプロセスの数のうち少なくとも一つに基づいて
【００８０】
【数６】
0006462571.tif 000013
【００８１】
が決定される。
【００８２】
一部の実施形態で、ＵＥ１１６は、以下の条件を満足する場合、ＰＵＳＣＨでのＴＢなしにＵＣＩのみを報告するようにトリガされる；ＤＣＩフォーマット０が使用されＩＭＣＳ＝２９であるか、ＤＣＩフォーマット４が使用され１ＴＢのみがイネーブルされ、イネーブルされたＴＢに対してＩＭＣＳ＝２９であり、送信階層の数が１である場合；“ＣＳＩ要請”ビットフィールドが非周期的なＣＳＩ報告をトリガリングする場合；及びスケジューリングされたＰＵＳＣＨ ＰＲＢの数がＴＰＲＢと同一であるか又はＮＰＲＢ≦ＴＰＲＢである場合である。
第１の例で、
【００８３】
【数７】
0006462571.tif 000014
【００８４】
は、＜表２＞及び＜表３＞で選択された表が構成される時、８Ｘ（又はＹ）として決定され、これによってＵＥ実行の複雑性を減少させることができ、全ての場合でＵＣＩのみのＰＵＳＣＨ復号を信頼性あるように維持することができる。また選択された数は、ＣＳＩ報告が、８Ｘ又はＹであり得る、ＵＥ１１６に構成されることができるＣＳＩプロセスの最大可能な数のＣＳＩを含む最悪の場合に該当することに留意する。
【００８５】
ＵＥ１１６が一定の実施形態によって非周期的なＣＳＩトリガリングのための表（すなわち、＜表１＞又は＜表２＞及び＜表３＞で選択された表）を決定する場合、ＵＥ１１６は、以下の例示的な条件によってＵＣＩのみのＰＵＳＣＨトリガリングを決定する：ＤＣＩフォーマット０が使用されＩＭＣＳ＝２９であるか、ＤＣＩフォーマット４が使用され、１ＴＢがイネーブルされ、イネーブルされたＴＢに対してＩＭＣＳ＝２９であり、送信階層の数が１である場合、及び“ＣＳＩ要請”ビットフィールドが１ビットであり、非周期的なＣＳＩ報告をトリガさせるように設定され、ＮＰＲＢ≦４であるか“ＣＳＩ要請”ビットフィールドが２ビットであり、＜表１＞によって一つ以上のサービングセルに対する非周期的なＣＳＩ報告をトリガリングし、ＮＰＲＢ≦２０であり、“ＣＳＩ要請”ビットフィールドが２ビットであり、＜表２＞及び＜表３＞で選択された表によって非周期的なＣＳＩ報告をトリガリングする場合、（Ａｌｔ１：ＮＰＲＢ≦８Ｘ、Ａｌｔ２：ＮＰＲＢ≦Ｙ）、ＵＬ−ＳＣＨに対する転送ブロック（ＴＢ）がなく、現在のＰＵＳＣＨ報告モードに対する制御情報フィードバックのみがＵＥ１１６により送信される。
第２の例で、
【００８６】
【数８】
0006462571.tif 000015
【００８７】
は、＜表２＞及び＜表３＞で選択された表によって非周期的なＣＳＩが一つ以上のＣＳＩプロセスに対してトリガされる時、８Ｘ（又はＹ）として決定され；＜表２＞及び＜表３＞で選択された表によって一つ以上のＣＳＩプロセスに対して非周期的なＣＳＩがトリガされる時、
【００８８】
【数９】
0006462571.tif 000016
【００８９】
は、４として決定される。この方法は、第１の実施形態と類似の動機を有する。
【００９０】
ＵＥ１１６が第１の実施形態によって非周期的なＣＳＩトリガリングに対する表（すなわち、＜表１＞又は＜表２＞及び＜表３＞で選択された表）を決定する時、ＵＥ１１６は、以下の条件によってＵＣＩのみのＰＵＳＣＨトリガリングを決定することができる：ＤＣＩフォーマット０が使用されＩＭＣＳ＝２９であるか、ＤＣＩフォーマット４が使用され１ＴＢのみがイネーブルされ、イネーブルされたＴＢに対してＩＭＣＳ＝２９であり、送信階層の数が１である場合、及び“ＣＳＩ要請”ビットフィールドが１ビットであり、非周期的なＣＳＩ報告をトリガさせるように設定され、ＮＰＲＢ≦４であるか、“ＣＳＩ要請”ビットフィールドが２ビットであり、ビットフィールドが＜表１＞によって一つ以上のサービングセルに対して、又は＜表２＞及び＜表３＞で選択された表によって単一サービングセルで一つのＣＳＩプロセスに対して非周期的なＣＳＩ報告をトリガリングし、ＮＰＲＢ≦４であるか、“ＣＳＩ要請”ビットフィールドが２ビットであり、＜表１＞によって一つ以上のサービングセルに対して非周期的なＣＳＩ報告をトリガリングし、ＮＰＲＢ≦２０であるか、“ＣＳＩ要請”ビットフィールドが２ビットであり、＜表２＞及び＜表３＞で選択された表によって単一サービングセルで又は一つ以上のサービングセルで一つ以上のＣＳＩプロセスに対して非周期的なＣＳＩ報告をトリガリングする場合、（Ａｌｔ１：ＮＰＲＢ≦８Ｘ、Ａｌｔ２：ＮＰＲＢ≦Ｙ）、ＵＬ−ＳＣＨに対する転送ブロック（ＴＢ）がなく、現在のＰＵＳＣＨ報告モードに対する制御情報フィードバックのみがＵＥにより転送される。
【００９１】
第３例で、＜表２＞及び＜表３＞で選択された表による単一ＤＬサービングセルに対して非周期的なＣＳＩ報告がトリガされると、
【００９２】
【数１０】
0006462571.tif 000017
【００９３】
は４Ｘとして決定され；＜表２＞及び＜表３＞で選択された表による一つ以上の単一ＤＬサービングセルに対して非周期的なＣＳＩ報告がトリガされると、
【００９４】
【数１１】
0006462571.tif 000018
【００９５】
は８Ｘとして決定される。これは、トリガされたＣＳＩ報告が＜表２＞及び＜表３＞で選択された表による単一ＤＬサービングセルに対するものである場合、ＵＣＩのみの送信に対するスケジューリング制限を小さく維持するためである。
【００９６】
選択された数が、（１）単一ＤＬサービングセルに対して構成され得るＣＳＩプロセスの最大可能な数（ＰＲＢの臨界数に対して４Ｘ ＰＲＢｓを選択するようにする）のＣＳＩをＣＳＩ報告が含み、（２）ＣＳＩ報告が、ＵＥに対して構成され得るＣＳＩプロセスの最大可能な数（ＰＲＢの臨界数に対して８Ｘ又はＹを選択するようにする）のＣＳＩを含む最悪の場合に該当することに留意する。
【００９７】
ＵＥ１１６が実施形態１によって非周期的なＣＳＩトリガリング（すなわち、＜表１＞又は＜表２＞及び＜表３＞で選択された表）のための表を決定する時、ＵＥ１１６は、以下の条件によってＵＣＩのみのＰＵＳＣＨトリガリングを決定するように構成される。；ＤＣＩフォーマット０が使用されＩＭＣＳ＝２９であるか、ＤＣＩフォーマット４が使用され１ＴＢのみがイネーブルされ、イネーブルされたＴＢに対してＩＭＣＳ＝２９であり、送信階層の数が１である場合、及び“ＣＳＩ要請”ビットフィールドが１ビットであり、非周期的なＣＳＩ報告をトリガさせるように設定され、ＮＰＲＢ≦４であるか、“ＣＳＩ要請”ビットフィールドが２ビットであり、＜表１＞によって一つ以上のサービングセルに対して非周期的なＣＳＩ報告をトリガリングし、ＮＰＲＢ≦４であるか、“ＣＳＩ要請”ビットフィールドが２ビットであり、＜表２＞及び＜表３＞で選択された表によって一つ以上のサービングセルに対して非周期的なＣＳＩ報告をトリガリングし、ＮＰＲＢ≦４Ｘであるか、“ＣＳＩ要請”ビットフィールドが２ビットであり、＜表１＞によって一つ以上のサービングセルに対して非周期的なＣＳＩ報告をトリガリングし、ＮＰＲＢ≦２０であるか、“ＣＳＩ要請”ビットフィールドが２ビットであり、＜表２＞及び＜表３＞で選択された表によって一つ以上のサービングセルに対して非周期的なＣＳＩ報告をトリガリングする場合、（Ａｌｔ１：ＮＰＲＢ≦８Ｘ、Ａｌｔ２：ＮＰＲＢ≦Ｙ）、ＵＬ−ＳＣＨに対する転送ブロックがなく、現在のＰＵＳＣＨ報告モードに対する制御情報フィードバックのみがＵＥ１１６により転送される。
【００９８】
第４例で、
【００９９】
【数１２】
0006462571.tif 000019
【０１００】
は、＜表２＞及び＜表３＞で選択された表による単一ＤＬサービングセルでの単一ＣＳＩプロセスに対して非周期的なＣＳＩ報告がトリガされると、４として決定され、；＜表２＞及び＜表３＞で選択された表による単一ＤＬサービングセルでの複数のＣＳＩプロセスに対して非周期的なＣＳＩ報告がトリガされると、
【０１０１】
【数１３】
0006462571.tif 000020
【０１０２】
は４Ｘとして決定され；＜表２＞及び＜表３＞で選択された表による一つ以上のＤＬサービングセルに対して非周期的なＣＳＩ報告がトリガされると、
【０１０３】
【数１４】
0006462571.tif 000021
【０１０４】
は８Ｘ（又はＹ）として決定される。この実施形態は、第３実施形態と類似の動機を有する。
【０１０５】
ＵＥ１１６が第１の方案によって非周期的なＣＳＩトリガリングのための表（すなわち、＜表１＞又は＜表２＞及び＜表３＞で選択された表）を決定する時、ＵＥ１１６は、以下の条件によってＵＣＩのみのＰＵＳＣＨトリガリングを決定する：ＤＣＩフォーマット０が使用されＩＭＣＳ＝２９であるか、ＤＣＩフォーマット４が使用され１ＴＢのみがイネーブルされ、イネーブルされたＴＢに対してＩＭＣＳ＝２９であり、送信階層の数が１である場合、及び“ＣＳＩ要請”ビットフィールドが１ビットであり、非周期的なＣＳＩ報告をトリガさせるように設定され、ＮＰＲＢ≦４であるか、“ＣＳＩ要請”ビットフィールドが２ビットであり、ビットフィールドが＜表１＞によって一つのサービングセルに対して又は＜表２＞及び＜表３＞で選択された単一サービングセルでの一つのＣＳＩプロセスに対して非周期的なＣＳＩ報告をトリガリングし、ＮＰＲＢ≦４であるか、“ＣＳＩ要請”ビットフィールドが２ビットであり、＜表１＞による一つ以上のサービングセルに対して非周期的なＣＳＩ報告をトリガリングし、ＮＰＲＢ≦２０であるか、“ＣＳＩ要請”ビットフィールドが２ビットであり、＜表２＞及び＜表３＞で選択された表によって一つ以上のサービングセルに対して非周期的なＣＳＩ報告をトリガリングする場合、（Ａｌｔ１：ＮＰＲＢ≦８Ｘ、Ａｌｔ２：ＮＰＲＢ≦Ｙ）、ＵＬ−ＳＣＨに対する転送ブロックがなく、現在のＰＵＳＣＨ報告モードに対する制御情報フィードバックのみがＵＥ１１６により転送される。
【０１０６】
本発明の実施形態による第３方案で、ＰＲＢの臨界数は、構成されたＣＳＩプロセスの数によって決定される。一定の実施形態で、ＵＣＩのみのＰＵＳＣＨを決定するために使用されるＰＲＢの臨界数は、構成されたＣＳＩプロセスの数によって決定される。
一定の実施形態で、一つのＣＳＩプロセスで非周期的なＣＳＩ報告があると、
【０１０７】
【数１５】
0006462571.tif 000022
【０１０８】
は４であり、一つ以上のＣＳＩプロセスで非周期的なＣＳＩ報告があると、
【０１０９】
【数１６】
0006462571.tif 000023
【０１１０】
は２０であり、これは、ＵＥ実行の複雑性を減少させ、全ての場合でＵＣＩのみのＰＵＳＣＨ復号を信頼性あるように維持するためである。選択された数は、ＣＳＩ報告が、ＵＥに対して構成され得るＣＳＩプロセスの最大可能な数のＣＳＩを含む最悪の場合に該当することに留意する。
【０１１１】
一定の実施形態で、ＵＥ１１６が実施形態１によって非周期的なＣＳＩトリガリングのための表（すなわち、＜表１＞又は＜表２＞及び＜表３＞で選択された表）を決定する時、ＵＥ１１６は、以下の条件によってＵＣＩのみのＰＵＳＣＨトリガリングを決定しなければならない：ＤＣＩフォーマット０が使用されＩＭＣＳ＝２９であるか、ＤＣＩフォーマット４が使用され１ＴＢのみがイネーブルされ、イネーブルされたＴＢに対してＩＭＣＳ＝２９であり、送信階層の数が１である場合、“ＣＳＩ要請”ビットフィールドが２ビットであり、＜表１＞又は＜表２＞及び＜表３＞で選択された表による一つのＣＳＩプロセスに対して非周期的なＣＳＩ報告をトリガリングし、ＮＰＲＢ≦２０である場合、ＵＬ−ＳＣＨに対する転送ブロックがなく、現在のＰＵＳＣＨ報告モードに対する制御情報フィードバックのみがＵＥ１１６により転送される。
【０１１２】
一方、ＲＡＮ１＃７０で、ＣＳＩプロセスの定義は、以下のように合意される：ＣＳＩプロセスは、ＮＺＰＣＳＩ−ＲＳリソースとＩＭＲの組み合わせである。与えられたＣＳＩプロセスは、周期的及び／又は非周期的な報告により使用されることができる。したがって、７.２セクションでＣＲ３６.２１３（Ｒ１−１２４０１２）は、以下のように７.２セクションでのＣＳＩの定義をキャプチャーした：送信モード１０のＵＥ１１６は、上位階層によりサービングセルごとに一つ以上のＣＳＩプロセスで構成されることができる。それぞれのＣＳＩプロセスは、セクション７.２.５で規定したＣＳＩ−ＲＳリソースとＣＳＩ−干渉測定（ＣＳＩ−ＩＭ）リソース（セクション７.２.６で規定）と関連する。ＵＥ１１６により報告されたＣＳＩは、上位階層により構成されたＣＳＩに対応する。
【０１１３】
ＲＡＮ１＃７０ｂｉｓで、同時的ＣＡとＣｏＭＰに対するフィードバック構成及び報告が合意された。すると、ＣＳＩプロセス定義がＲｅｌ−８／９／１０ＣＳＩフィードバック構造を含むように拡張されるか否かの問題が発生することがある。これは、ＵＥが全ての構造されたサービングセルに対してＴＭ１０で構成されることができるためである。
【０１１４】
ＣＳＩプロセスの定義がＲｅｌ−８／９／１０フィードバックを含むように拡張されないと、非周期的なＣＳＩトリガリング表に対する合意は、ＴＭ１０で構成されたサービングセルに対してのみに適用され、ＵＥは、一つのＰＵＳＣＨに対してＲｅｌ−８／９／１０タイプのＣＳＩ及びＲｅｌ−１１タイプのＣＳＩ（ＣＳＩプロセスに基づく）を同時にフィードバックすることができない。これは、セルにかけるＴＭ構造の可変性を制限する。
【０１１５】
代案的に、ＣＳＩプロセスの定義がＲＥｌ−８及びＲｅｌ−１０フィードバックをまた含むように拡張されると、ＵＥ１１６は、一つのＰＵＳＣＨで同時にＲｅｌ−８／９／１０（又はレガシー）タイプＣＳＩ（ＴＭ１−９と関連される）及びＲｅｌ−１１ＣＳＩ（ＴＭ１０と関連）タイプをフィードバックすることができる。これは、ＵＥ１１６が相異なるサービングセルで相異なるＴＭで構成され得ることを仮定する。
【０１１６】
代案的に、フィードバック構造及びＵＥ動作を単純化するために、以下のＴＭ構造制限がＲｅｌ−１１ＵＥに対して付加され得る；Ｒ１１ＵＥが一つのＤＬサービングセルでＴＭ１０で構成される時、ＵＥは、他の全てのＤＬサービングセルでＴＭ１０のみで構成され得る；Ｒｅｌ−１１ＵＥが一つのＤＬサービングセルでＴＭ１−９で構成される時、ＵＥは、他の全てのＤＬサービングセルでＴＭ１−９のみで構成され得る。
【０１１７】
セルにかける可変的なＴＭ構造を容易にし、同時にＰＵＳＣＨでの対応する非周期的なＣＳＩの多重化をサポートするために、Ｒｅｌ−８／９／１０ＣＳＩフィードバック構造を含むようにＣＳＩプロセスの定義を拡張することが提案された。Ｒｅｌ−１０で、Ｒｅｌ−１０に対するＲＲＣ情報要素と、例えば、Ｒｅｌ−１０ＣＱＩ−ＲｅｐｏｒｔＣｏｎｆｉｇ情報要素（例えば、ＣＱＩ−ＲｅｐｏｒｔＣｏｎｆｉｇ−ｒ１０、ＣＱＩ−ＲｅｐｏｒｔＣｏｎｆｉｇＳＣｅｌｌ−ｒ１０）がサービングセルのＣＳＩフィードバックを構成するためにサービングセルごとに構成される。
【０１１８】
ここにその全体が完全に開示されたように、本発明に含まれた３ＧＰＰ３６.３３１ｖ１０.５.０は、以下のように、ＣＱＩ−ＲｅｐｏｒｔＣｏｎｆｉｇ、ＣＱＩ−ＲｅｐｏｒｔＣｏｎｆｉｇ−ｖ９２０、ＣＱＩ−ＲｅｐｏｒｔＣｏｎｆｉｇ−ｒ１０、ＣＱＩ−ＲｅｐｏｒｔＣｏｎｆｉｇＳｃｅｌｌ−ｒ１０人ＣＱＩ−ＲｅｐｏｒｔＣｏｎｆｉｇの解除−依存変形をキャプチャーする：
【０１１９】
【数１７】
0006462571.tif 000024
0006462571.tif 000025
【０１２０】
本発明の一定の実施形態の第１の拡張プロトコルによれば、ＣＳＩプロセスの定義は、ＴＭ１−９に対するＣＳＩフィードバック構造とＴＭ１０のためのＣＳＩフィードバック構造を含むように拡張される。
【０１２１】
相異なるＴＭで構成された複数セルに対する非周期的なＣＳＩをフィードバックできるようにするための３ＧＰＰ ＴＳ３６.２１３のセクション７.２に対する一つの例としての改正案は：ＵＥ１１６が上位階層によりサービングセルごとに一つ以上のＣＳＩプロセスで構成され得ることである。それぞれのＣＳＩプロセスは、セクション７.２.５で定義されたＣＳＩ−ＲＳリソースとＴＭ１０のためのセクション７.２.６で規定されたＣＳＩ−干渉測定（ＣＳＩ−ＩＭ）リソースによるか、又はＴＭ１−９のためのＣＱＩ（又はＣＳＩ）報告構成（ＣＱＩ−ＲｅｐｏｒｔＣｏｎｆｉｇ）と関連される。
【０１２２】
ＲＡＮ１＃６９で、ＣｏＭＰに対する２ビットＣＳＩ要請の導入は、以下のように合意される：複数のＣＳＩがＣｏＭＰに対して構成される単一ＣＣ構造の場合、ＵＥ特定検索空間内であり、非周期的なＣｏＭＰフィードバックのトリガリングのためのＤＣＩフォーマット４であると、２ビットＣＳＩ要請フィールドは、ＤＣＩフォーマット０で使用される。
【０１２３】
ＲＡＮ１＃７０ｂｉｓで、同時的なＣＡとＣｏＭＰのフィードバック構造及び報告が合意され、したがってＲＡＮ１＃６９の合意で、“多重ＣＳＩ”の意味に対して一つの明確化が遂行されなければならない。ＣＳＩプロセスの定義が合意される前に合意がなされるので、合意での“多重ＣＳＩ”とは“多重ＣＳＩプロセス”を意味することで、これからＣＳＩプロセスの導入が合意された。
【０１２４】
さらに、３６.２１２ＣＲは、Ｒｅｌ−１１で合意された２ビットＣＳＩ要請に対して次をキャプチャーしている：ＲＥＦ３のセクション７.２.１で規定されたようにＣＳＩ要請−１又は２ビット。
【０１２５】
２ビットフィールドは、一つ以上のＤＬセルで構成されるＵＥ、又は一つ以上の非周期的なＣＳＩを報告するように上位階層により構成されたＵＥに適用され、そうでない場合は、１ビットフィールドが適用される。
【０１２６】
これから、ＣＳＩプロセスの定義が第１の拡張提案でのように拡張される場合、ＣＡ及びＣｏＭＰの場合の両方で、ＵＥ１１６は、一つ以上のＣＳＩプロセスで構成され、従って、合意は、以下のように拡張され得る：一つ以上のＣＳＩプロセスが構成される時、２ビット要請フィールドは、ＤＣＩフォーマット０（ＵＥ ＳＳでの場合）とＤＣＩフォーマット４で使用される。
【０１２７】
この場合、ＣＳＩ要請は、ＲＥＦ３のセクション７.２.１で規定されたように１又は２ビットであり得る。２ビットフィールドは、一つ以上のＣＳＩプロセスで非周期的なＣＳＩを報告するために上位階層により構成されたＵＥに適用され、そうでない場合、１ビットフィールドが適用される。
代案的に、ＣＳＩプロセスの定義が拡張されない場合、合意を拡張する以下のような２種類の代案が考慮され得る。
【０１２８】
まず、構成されたサービングセルでの構成されたＣＳＩプロセスの総数が一つ以上である場合、２ビットＣＳＩ要請フィールドがＤＣＩフォーマット０（ＵＥ ＳＳでの場合）とＤＣＩフォーマット４で使用され得る。この場合、ＵＥ１１６がサービングセルごとに一つのＣＳＩプロセスで構成されても、一つ以上のＤＬサービングセルで構成されたＵＥ１１６に新たなＣＳＩトリガリング表が利用されるはずである。このような方式が、付加的な不必要なＣＳＩトリガリング表を構成するためのＲＲＣシグナリングオーバーヘッドを増加させることがある。Ａｌｔ２で、新たなＣＳＩトリガリング表は、必要な場合のみに構成される。
【０１２９】
第２に、少なくとも一つのサービングセルで構成されたＣＳＩプロセスの数が一つ以上である時、２ビットＣＳＩ要請フィールドがＤＣＩフォーマット０（ＵＥ ＳＳでの場合）とＤＣＩフォーマット４で使用されるはずである。例えば、以下の修正は、このような代案をキャプチャーすることができる：ＲＥＦ３のセクション７.２.１で規定されたようなＣＳＩ−１又は２ビット。２ビットフィールドは、一つ以上のＤＬセルで構成されたＵＥ、少なくとも一つのサービングセルで一つ以上のＣＳＩプロセスでの非周期的なＣＳＩを報告するように上位階層により構成されたＵＥに適用され、そうでない場合、１ビットフィールドが適用される。
【０１３０】
２ビットＣＳＩトリガに対して３ＧＰＰ ＴＳ３６.２１３ＣＲセクション７.２.１は、以下をキャプチャーする：ＣＳＩ要請フィールドが２ビットであり、ＵＥ１１６が送信モード１−９で構成されると、非周期的なＣＳＩ報告に対応して、ＵＥ特定検索空間でアップリンクＤＣＩフォーマットを有するＰＤＣＣＨ／ＥＰＤＣＣＨに対するＣＳＩ要請フィールドの以下の表７の値によって報告がトリガされる。
【０１３１】
【表７】
0006462571.tif 000026
【０１３２】
また、ＣＳＩ要請フィールドサイズがＲＥＦ４で２ビットであり、ＵＥ１１６が送信モード１０で構成されると、非周期的なＣＳＩ報告に対応して、ＵＥ特定検索空間のアップリンクＤＣＩフォーマットを有するＰＤＣＣＨ／ＥＰＤＣＣＨに対するＣＳＩ要請フィールドの以下＜表８＞での値によって報告がトリガされる。
【０１３３】
【表８】
0006462571.tif 000027
【０１３４】
変更要請（ＣＲ）でのテキストは、以前のＣＳＩトリガリングビット構成の合意を反映しないように見え、新たな表の構成は、構成されたＴＭよりはサービングセルのＣＳＩプロセスの数に関連されていることがわかる。また、ＣＲでの現在テキストは、それぞれのサブフレームでＵＥ１１６がスケジューリングされたＰＵＳＣＨで送信するようにＣＳＩを決定するために、２つの表のうち一つの表を選択するようにサービングセルｃのＴＭをまず考慮しなければならない。ＲＡＮ１は、このような側面で明確な合意を有せず、明確化が必要であると思われる。
【０１３５】
ＣＡとＣｏＭＰが構成される場合、２ビットＣＳＩ要請トリガをＵＥが解釈するためには、２つの代案があり得る。第１の解釈で、非周期的なＣＳＩのコンテンツは、サービングセルｃのＴＭに関係なく単一の表によって決定される。第２の解釈で、非周期的なＣＳＩのコンテンツは、２つの表のうち選択された一つの表によって決定され、選択は、サービングセルｃのＴＭに依存する。
【０１３６】
例えば、ＵＥ１１６がＰｃｅｌｌ(Ｐｒｉｍａｒｙ ｃｅｌｌ)とＳｃｅｌｌ(Ｓｅｃｏｎｄａｒｙ  ｃｅｌｌ)の２つのサービングセルで構成されることを考慮する。ＵＥ１１６は、ＰｃｅｌｌでＴＭ１０に設定され、ＳｃｅｌｌでＴＭ１−９のうちいずれか一つに設定される。Ｐｃｅｌｌで転送されたＤＣＩフォーマット０／４が非周期的なＣＳＩ報告をトリガする場合、ＵＥ１１６は、ＰｃｅｌｌがＴＭ１０に設定されることによって、ＣＳＩ報告コンテンツを決定するために＜表７＞を利用する。
【０１３７】
あるいは、Ｓｃｅｌｌで転送されたＤＣＩフォーマット０／４が非周期的なＣＳＩ報告をトリガする場合、ＵＥ１１６は、ＳｃｅｌｌがＴＭ１−９に設定されることによって、ＣＳＩ報告コンテンツを決定するために＜表８＞を利用する。類似の例が任意の数の構成されたサービングセルに対して考慮され得る。
【０１３８】
ＵＥ実行の単純化のために、第１の解析は、第２の解析より選好される。また、ＣＳＩプロセス定義が第１の拡張提案により拡張され、第１の解釈のようにＣＳＩトリガリング表の動的な切り替えがない場合、＜表７＞は、これ以上必要であると見えず、＜表８＞は、Ｒ１０キャリアアグリゲーション作動だけでなくＲｅｌ-１１でＲＡＮ１合意もキャプチャーできる。ここで、コードポイント‘０１’に対して“サービングセルｃに対する上位階層により構成されたＣＳＩプロセスのセット”の意味について、一つの明確化が必要である。レガシータイプのＣＳＩプロセスがサービングセルｃに対して構成される場合、“サービングセルに対する上位階層により構成されたＣＳＩプロセスのセット”は、レガシータイプのＣＳＩプロセスであり得る。
【０１３９】
本発明の一定の実施形態の第２の拡張提案で、非周期的なＣＳＩのコンテンツは、ＣＡ、ＣＡ＋ＣｏＭＰ、又はＣｏＭＰのすべてのケースで、サービングセルｃのＴＭに関係なく＜表８＞によって決定される。
【０１４０】
この場合、標準テキストは、次のようである。ＣＳＩ要請フィールドサイズがＲＥＦ４で２ビットである場合、報告は、非周期的なＣＳＩ報告に対応する＜表８＞の値に従ってトリガされる。
【０１４１】
上記表の７.２.１-１の上位階層のシグナリングの一例（ＥＸ-ＲＲＣ）において、キャリアアグリゲーションがＵＥ１１６に設定される場合、ＴＭ１−９により設定されたサービングセルは、Ｒｅｌ-１０非周期的なＣＳＩトリガ（すなわち、すべてのサービングセルに対して共通設定された非周期的なＣＳＩ−トリガ−ｒ１０）でＲＲＣにより構成され、ＴＭ１０で構成されるサービングセルは、例えば、以下の説明のように、ＣＳＩプロセスごとに構成されるＲｅｌ-１１非周期的なＣＳＩトリガでＲＲＣにより構成され得る。
ＣＳＩ−プロセス情報要素
【０１４２】
【数１８】
0006462571.tif 000028
【０１４３】
ＣＱＩ−ＲｅｐｏｒｔＣｏｎｆｉｇ情報要素
【０１４４】
【数１９】
0006462571.tif 000029
【０１４５】
Ｒｅｌ−１１非周期的なＣＳＩトリガリングにおいて、ＴＭ１０に対するＤＣＩフォーマット２Ｄ（又は他の基準ＤＣＩフォーマット）の２ビットの非周期的なＣＳＩ要請フィールドに対して、フィールドトリガ０１-ｒ１１、トリガ１０-ｒ１１、及びトリガ１１-ｒ１１は、コードポイント０１，１０，及び１１にそれぞれ対応する。Ｒｅｌ-１１非周期的なＣＳＩトリガのフィールド（コードポイントに対応する）が真(true)に設定される場合、これは、コードポイントがＤＣＩフォーマットで転送される場合に、非周期的なＣＳＩ報告でＣＳＩプロセスが報告されなければならないことを指示する。
【０１４６】
上記した例のＲＲＣシグナリング(ＥＸ-ＲＲＣ)によるＵＥ１１６動作は、以下のようである。コードポイント１０又はコードポイント１１に対して非周期的なＣＳＩ報告がトリガされる場合、ＵＥ１１６は、非周期的なＣＳＩ-トリガ-ｒ１０のそれぞれのトリガ１-ｒ１０又はトリガ１-ｒ１１に対するビットマップで構成される対応するビットを有するＴＭ１−９で構成されたサービングセルが、非周期的なＣＳＩ報告に含まれると仮定する。さらに、ＵＥ１１６は、ＴＭ１０で構成されたサービングセルに対して、Ｒｅｌ−１１非周期的なＣＳＩ報告トリガ構成を通じて報告する、コードポイント１０又はコードポイント１１に対して構成されたＣＳＩプロセスは、非周期的なＣＳＩ報告に含まれると仮定する。
【０１４７】
第１の構成オプションで、非周期的なＣＳＩ-トリガは、一つ以上のＳＣｅｌｌが構成される場合、非周期的なＣＳＩ報告がトリガされるサービングセルを指示することができる。トリガ１は、ＣＳＩ要請フィールド‘１０’に対応し、トリガ２は、ＣＳＩ要請フィールド‘１１’に対応する。また、Ｒｅｌ-１０非周期的なＣＳＩトリガフィールド説明は、上記のように変更され得る（３ＧＰＰ ＴＳ３６.２１３、表７.２.１−１Ａ）。
【０１４８】
第１の構成オプションで、最左側のビットである、ビット列のビット０は、ＳｅｒｖＣｅｌｌＩｎｄｅｘ＝０のセルに対応し、ビット列のビット１は、ＳｅｒｖＣｅｌｌＩｎｄｅｘ＝１のセルに対応し、その他にも同様に対応する。各ビットは、いずれの非周期的なＣＳＩ報告もトリガされないことを意味する値０、又は非周期的なＣＳＩ報告がトリガされることを意味する値１を有する。最大５ビットがビット列で値１に構成され得る。Ｅ-ＵＴＲＡＮは、ＴＭ１〜ＴＭ９の範囲で構成される送信モード（ＴＭ）により設定されるセルに対してのみ値１を構成する。範囲ＴＭ１〜ＴＭ９で構成される送信モードで構成されるすべてのサービングセルに対して一つの値が適用され、関連機能は共通である。すなわち、各セルに対して独立的に遂行されない。第１の構成オプションで、ＥＵＴＲＡＮは、ＴＭ１０で構成されたセルに対応するトリガ１又はトリガ２のビットを０に設定することである。
【０１４９】
第２の構成オプションで、ＴＭ１０で構成されるセルにビットが対応する場合、ＵＥ１１６は、Ｒｅｌ-１０非周期的なＣＳＩトリガのビットマップのビット‘ｄｏｎ’ｔ  ｃａｒｅ’として取扱う。
【０１５０】
第３の構成オプションで、ネットワークがＵＥ１１６がＲｅｌ-１１非周期的なＣＳＩ報告トリガを読み取り、それによってどのＣＳＩプロセスを報告するか否かを決定することを希望すれば、ＴＭ１０で構成されたセルに対応するビットがネットワークにより１に設定されなければならず、ビットが０に設定される場合、ＵＥ１１６は、そのセルに対してＲｅｌ-１１非周期的なＣＳＩ報告トリガ構造を無視し、そのセルに対してＲｅｌ-１１非周期的なＣＳＩを送信しない。
【０１５１】
あるいは、ＣＳＩプロセス定義が変更されない場合、次の変更が理解され得る。ＣＳＩ要請フィールドサイズが２ビット［４］であり、ＵＥ１１６がサービングセルごとに最大一つのＣＳＩプロセスで構成される場合、非周期的なＣＳＩ報告に対応する表７.２.１-１Ａの値に従って報告がトリガされる。ＣＳＩ要請フィールドサイズが２ビット［４］であり、ＵＥ１１６が少なくとも一つのサービングセルで一つ以上のＣＳＩプロセスで構成される場合、非周期的なＣＳＩ報告に対応する表７.２.１-１Ｂの値に従って報告がトリガされる。
【０１５２】
多様な実施形態において、報告のうちいずれか一つのみが送信され、異なるＣＳＩ−ＲＳリソースに対するＰＵＣＣＨ報告間に衝突がある場合、残りの報告は、除去され得る（すなわち、転送されない）。この状態で、ドロップ規則が決定され、これは、ＵＥ１１６とｅＮＢ１０２両方ともに知られる。周期的なＣＳＩドロップ規則は、報告タイプ及び一定のシーケンスでのＣＳＩプロセス／ＣＣインデックスを含むパラメータに基づいてサポートされる。ＣＳＩプロセスインデックス又はＣＣインデックスは、０又は正の整数であり得ることがよく知られている。
【０１５３】
２つのドロップ規則が考慮される。第１のドロップ規則は、報告タイプ、ＣＳＩプロセスインデックス、及びＣＣインデックスの順序に基づいて衝突されるＣＳＩ報告を除去させ（報告タイプ→ＣＳＩプロセスインデックス→ＣＣインデックス）；第２のドロップ規則は、報告タイプ、ＣＣインデックス、及びＣＳＩプロセスインデックスの順序に基づいて衝突されるＣＳＩプロセスを除去させる（報告タイプ→ＣＣインデックス→ＣＳＩプロセスインデックス）。
【０１５４】
一定の実施形態において、報告タイプに対して、ドロップ規則は、ＣＱＩ／ＰＭＩ報告、及び広帯域ＣＱＩ／ＰＭＩ報告よりＲＩ報告に優先順位をつける。一定の実施形態で、ＣＳＩプロセスインデックスに対して、ドロップ規則は、低いＣＳＩプロセスインデックスを有するＣＳＩ報告に優先順位を与える。一定の実施形態で、ＣＣインデックス対して、ドロップ規則は、低いＣＣインデックスを有するＣＳＩ報告に優先順位をつける。
【０１５５】
例えば、第１のドロップ規則によれば、ＣＳＩプロセスＰ１（ＣＣインデックス＝ＳｅｒｖｃｅｌｌＩＤ＝０、ＣＳＩプロセスＩＤ＝１）とＣＳＩプロセスＳ０（ＣＣインデックス＝Ｓｅｒｖｃｅｌｌ  ＩＤ＝１、ＣＳＩプロセスＩＤ＝０）が衝突する場合に、Ｓ０に対するＣＳＩプロセスが転送され、Ｐ１に対するＣＳＩプロセスがドロップされる（Ｐ１、Ｓ０衝突→Ｓ０が転送される）。一方、第２のドロップ規則によれば、Ｐ１とＳ０に対するＣＳＩプロセスが衝突する場合に、ＣＳＩプロセスＰ１が転送され、Ｓ０がドロップされる（Ｐ１、Ｓ０衝突→Ｐ１が転送される）。Ｐ０（ＣＣインデックス＝Ｓｅｒｖｃｅｌｌ  ＩＤ＝０、ＣＳＩプロセスＩＤ＝０）とＳ０に対するＣＳＩプロセスが衝突する場合、第１のドロップ規則が適用されるか、あるいは第２のドロップ規則が適用されるかに関係なく、ＣＳＩプロセスＰ０が転送され、Ｓ０がドロップされる（Ｐ０、Ｓ０衝突→Ｐ０が転送される）。
【０１５６】
ＲＡＮ１＃７０で、第１のドロップ規則は、周期的なＣＳＩドロップ規則に対して合意される。３６.２１３ＣＲは、以下のようにセクション７.２.２での合意のタイブレーク部分をキャプチャーする。所定のサブフレームと送信モード１-９のＵＥに対して、同一の優先順位を有するＰＵＣＣＨ報告タイプを有する異なるサービングセルのＣＳＩ報告間の衝突がある場合、最低ＳｅｒｖＣｅｌｌＩｎｄｅｘのサービングセルのＣＳＩが報告され、他のすべてのサービングセルのＣＳＩがドロップされる。
【０１５７】
所定のサブフレームと送信モード１０のＵＥに対して、同一の優先順位を有するＰＵＣＣＨ報告タイプを有する異なるサービングセルのＣＳＩ報告と同一のＣＳＩＰｒｏｃｅｓｓＩｎｄｅｘを有するＣＳＩプロセスに対応するＣＳＩ報告との間で衝突がある場合、最低ＳｅｒｖＣｅｌｌＩｎｄｅｘのサービングセルを除外したすべてのサービングセルのＣＳＩ報告がドロップされる。
【０１５８】
所定のサブフレームと送信モード１０のＵＥに対して、同一の優先順位を有するＰＵＣＣＨ報告タイプを有する異なるサービングセルのＣＳＩ報告と異なるＣＳＩＰｒｏｃｅｓｓＩｎｄｅｘを有するＣＳＩプロセスに対応するＣＳＩ報告間に衝突がある場合、最低ＣＳＩＰｒｏｃｅｓｓＩｎｄｅｘを有するＣＳＩプロセスに対応するＣＳＩ報告を有するサービングセルを除外したすべてのサービングセルのＣＳＩ報告がドロップされる。
【０１５９】
現在の説明は、ＵＥ１１６がすべてのサービングセルにかけて一つのＴＭタイプのみにより構成されると仮定するように見える。サービングセルにかけた可変的なＴＭ構成のために、説明からＴＭ依存性は除去されなければならない。
【０１６０】
第１の拡張提案のように、ＣＳＩプロセスのレガシータイプを含むようにＣＳＩプロセス定義が拡張されることをキャプチャーするための一実施形態は、以下のようである。同一の優先順位のＰＵＣＣＨ報告タイプを有する相互に異なるサービングセルのＣＳＩ報告と同一のＣＳＩＰｒｏｃｅｓｓＩｎｄｅｘを有するＣＳＩプロセスに対応するＣＳＩ報告との間で衝突がある場合、最低ＳｅｒｖＣｅｌｌＩｎｄｅｘを有するサービングセルを除いたすべてのサービングセルのＣＳＩ報告が削除される。
【０１６１】
同一の優先順位のＰＵＣＣＨ報告タイプを有する異なるサービングセルのＣＳＩ報告と異なるＣＳＩＰｒｏｃｅｓｓＩｎｄｅｘを有するＣＳＩプロセスに対応するＣＳＩ報告との間で衝突がある場合、最低ＣＳＩＰｒｏｃｅｓｓＩｎｄｅｘを有するＣＳＩプロセスに対応するＣＳＩ報告を有するサービングセルを除外したすべてのサービングセルのＣＳＩ報告がドロップされる。ここで、ＴＭ１−９に関連したすべてのＣＳＩプロセスに対するＣＳＩＰｒｏｃｅｓｓＩｎｄｅｘは、１である。
【０１６２】
図５は、本発明の実施形態による異なるサービングセルのＣＳＩ報告間の衝突がある場合、タイブレーク作動を示すフローチャート(５００)である。フローチャートが一連の連続的なステップを示すが、明示的に言及されない限り、特定の実行順序、同時又は重複的であるよりは、連続的なステップ又はその部分の実行、又は介在又は中間ステップなしに全的に示されるステップのみの実行に関連して、そのシーケンスからいずれの断定も下してはならない。
【０１６３】
動作５０５で、ＵＥが送信モード１乃至９のうちいずれか一つで構成される一つのサービングセルの第１の物理アップリンク制御チャンネル（ＰＵＣＣＨ）ＣＳＩ報告と、送信モード１０でＵＥで構成された他のサービングセルの第２のＰＵＣＣＨ ＣＳＩ報告間のサブフレームでの衝突を検出する。その後、動作５１０で衝突されるＰＵＣＣＨ ＣＳＩ報告の報告タイプの優先順位が同一である場合、動作５１５でＲｅｌ−１１タイプのＣＳＩプロセスがＣＳＩＰｒｏｃｅｓｓＩｎｄｅｘ＝１を有しないと、ＵＥは、動作５２５でＲｅｌ−１１タイプＣＳＩプロセスに対してＣＳＩプロセスのレガシータイプに優先順位をつけ、その代わりに、動作５２０で、第１のＣＳＩ報告のサービングセルのインデックスがより小さいと、ＵＥは、動作５３５で、第１のＰＵＣＣＨ ＣＳＩ報告をドロップし、第２のＰＵＣＣＨ ＣＳＩ報告を送信する。
【０１６４】
例えば、ＵＥ１１６は、Ｓｃｅｌｌで構成されたレガシーＣＳＩプロセスとＰｃｅｌｌ（ＣＳＩＰｒｏｃｅｓｓＩｎｄｅｘ＝１,２）で２つのＲｅｌ−１１タイプのＣＳＩプロセスで構成されると仮定される。ＳｃｅｌｌのレガシーＣＳＩプロセスとＰｃｅｌｌのＣＳＩＰＰｒｏｃｅｓｓＩｎｄｅｘ＝２であるＲｅｌ−１１タイプのＣＳＩプロセスは、同一のサブフレームで報告されるようにスケジューリングされる場合、レガシーＣＳＩ報告が転送され、Ｒｅｌ−１１ＣＳＩ報告がドロップされる。あるいは、ＳｃｅｌｌのレガシーＣＳＩプロセスとＰｃｅｌｌのＣＳＩＰｒｏｃｅｓｓＩｎｄｅｘ＝１を有するＲｅｌ−１１タイプのＣＳＩプロセスは、同一のサブフレームで報告されるようにスケジューリングされる場合、Ｒｅｌ−１１タイプのＣＳＩは、ＣＳＩＰｒｏｃｅｓｓＩｎｄｅｘ＝１を有するので、ＣＳＩプロセスインデックスに関連したタイブレークステップは、タイ(tie)を宣言する。ＣＣインデックスに関連した以下のステップで、Ｐｃｅｌｌは、優先順位を有し、それによってＲｅｌ−１１ＣＳＩのみが転送され、レガシーＣＳＩは、ドロップされることである。
【０１６５】
もう一つのオプションで、ＴＭ１０で構成されたサービングセルに対して上位番号のＣＳＩプロセスのＣＳＩがトリガされる場合、Ｒｅｌ−１１ＣＳＩ送信よりレガシーＣＳＩ送信に優先順位を与えるために、最小の可能なＣＳＩプロセス番号（例えば、周期的ＣＳＩドロップで優先順位処理目的として、ＣＳＩプロセスのレガシータイプに対してＣＳＩＰｒｏｃｅｓｓＩｎｄｅｘ＝１が仮定される）である、ＣＳＩプロセスのレガシータイプに対するデフォルトＣＳＩＰｒｏｃｅｓｓＩｎｄｅｘが導入される。このような優先順位を有することによって、レガシーＣＳＩプロセスは、ＴＭ１０で構成されたサービングセルに対して２次ＣＳＩプロセスに優先して除去されることがなくなる。
【０１６６】
他のオプションで、ＣＳＩプロセスインデックスに関連したタイブレーク動作で、ＵＥ１１６は、Ｒｅｌ−１１タイプのＣＳＩプロセスよりレガシータイプのＣＳＩプロセスに優先順位をつける。例えば、レガシーＣＳＩプロセスに設定されたＵＥ１１６がＳｃｅｌｌに設定され、２つのＲｅｌ−１１タイプのＣＳＩプロセス（ＣＳＩＰｒｏｃｅｓｓＩｎｄｅｘ＝１,２）がＰｃｅｌｌで構成される。ＳｃｅｌｌのレガシーＣＳＩとＰｃｅｌｌのＲｅｌ−１１タイプのＣＳＩプロセスのいずれかが同一のサブフレームでスケジューリングされる場合、レガシーＣＳＩのみが転送され、Ｒｅｌ−１１ＣＳＩは、ドロップされる。
【０１６７】
ＲＡＮ１＃７０以後のＲＡＮ１レポータで、３６.２１３ＣＲのワーキングコピーは、一つ以上のＣＳＩプロセスに対するＣＳＩ報告がトリガされる場合、ＵＣＩのみのトリガリングについて、以下のように提案する。２９≦ＩＭＣＳ≦３１に対して、ＤＣＩフォーマット０が使用され、ＩＭＣＳ＝２９であり、あるいはＤＣＩフォーマット４が使用され、１ＴＢのみがイネーブルされ、イネーブルされたＴＢに対してＩＭＣＳ＝２９であり、送信階層の数が１である場合、“ＣＳＩ要請”ビットフィールドが１ビットであり、非周期的なＣＳＩ報告をトリガさせるように設定され、ＮＰＲＢ≦４、又は“ＣＳＩ要請”ビットフィールドが２ビットであり、表７.２.１-１Ａによる一つ以上のサービングセルに対して非周期的なＣＳＩ報告をトリガし、ＮＰＲＢ≦４、あるいは“ＣＳＩ要請”ビットフィールドが２ビットであり、表７.２.１−１Ａによる一つ以上のサービングセルに対して非周期的なＣＳＩ報告をトリガしてＮＰＲＢ≦２０であり、あるいは“ＣＳＩ要請”ビットフィールドが２ビットであり、表７.２.１-１Ｂによる一つ以上のＣＳＩに対して非周期的なＣＳＩ報告をトリガし、ＮＰＲＢ≦２０である場合、ＵＬ-ＳＣＨに対する転送ブロックがなく、現在のＰＵＳＣＨ報告モードに対する制御情報フィードバックのみがＵＥ１１６により転送される。
【０１６８】
また、ＲＡＮ１＃７０ｂｉｓは、サービングセル当たりＣＳＩプロセスの最大数について、次のように同意する。ＣＳＩプロセスの最大数Ｐは、ＴＭ１０-可能な(TM10-capable)ＵＥ｛１,３,４｝に対するＵＥ能力である。この合意により一つの非周期的なＣＳＩ報告がトリガされるＣＳＩプロセスの総数は、ＵＥの能力により決定され、総数は、４＊５＝２０プロセスだけ大きい。
【０１６９】
Ｒｅｌ-１０でＵＣＩのみのＰＵＳＣＨをトリガするＰＲＢの数の上限に対する２０個のＰＲＢが５個のＣＣに対するＣＳＩ報告を考慮することに注意すると、２０個のＣＳＩプロセスに対する報告がトリガされる場合、２０個のＰＲＢは、ＵＣＩのみのＰＵＳＣＨの信頼性のある復号を保証するのに十分でない。ＰＲＢのしきい値数を決定するために、以下の方案が考慮される。
【０１７０】
第１の代案において、ＵＣＩのみのＰＵＳＣＨは、“ＣＳＩ要請”ビットフィールドが２ビットであり、表７.２.１-１Ｂによる一つ以上のＣＳＩプロセスに対して非周期的なＣＳＩ報告をトリガする場合にトリガされる。第１の代案は、ＵＣＩのみのＰＵＳＣＨをトリガするためにＰＲＢの上限を除去する。システムの帯域幅が１００ＰＲＢである場合、ＣＳＩプロセスの数と構成されたサービングセルの数に関係なくＵＣＩのみのＰＵＳＣＨに対する復号信頼性の問題が存在しない。しかしながら、Ａｌｔ１は、ＨＡＲＱ（ｒｖ＝１）の一つの冗長バージョンを使用することを効果的に可能でないようにする。
【０１７１】
第２の代案において、“ＣＳＩ要請”ビットフィールドが２ビットであり、表７.２.１-１Ｂ及びＮＰＲＢ≦８ＰによるＣＳＩプロセスに対する非周期的なＣＳＩ報告をトリガする場合、ＵＣＩのみのＰＵＳＣＨがトリガされる。第２の代案は、大部分のシナリオでＵＥが最大２セルで構成できると仮定し、４・２Ｐ（ここで、Ｐ∈｛１,３,４｝）の構成を許可することによって、復号信頼性の問題なしにＵＣＩのみのＰＵＳＣＨが転送されることを保証する。ＵＥが２以上のセルに設定される場合にも、ｅＮＢ１０２は、ＣＳＩプロセスの数が２Ｐを超えないように実行することによって、ＵＣＩのみのＰＵＳＣＨのためのＣＳＩプロセスの数を制限できることがわかる。
【０１７２】
第３代案において、“ＣＳＩ要請”ビットフィールドが２ビットであり、表７.２.１-１及びＮＰＲＢ≦ｍａｘ｛２０,８Ｐ｝による一つ以上のＣＳＩプロセスに対する非周期的なＣＳＩ報告をトリガする場合、ＵＣＩのみのＰＵＳＣＨはトリガされる。第３の代案は、大部分のシナリオでＵＥが最大２セルに設定されると仮定し、４・２Ｐ（ここで、Ｐ∈｛１,３,４｝）の設定を許可することによって、復号信頼性の問題なしにＵＣＩのみのＰＵＳＣＨが転送されることを保証する。これは、ＰＲＢのレガシー数（２０）が高い符号レートを有する潜在的な問題を有する場合のみにＰＲＢの数を増加させる。ＵＥが２以上のセルで構成される場合にも、ｅＮＢ１０２は、ＣＳＩプロセスの数が２Ｐを超えないように実行することによって、ＵＣＩのみのＰＵＳＣＨのためのＣＳＩプロセスの数を制限できることが明らかである。
【０１７３】
一般的に、第２及び第３の方案の８Ｐは、４Ｐ・Ｃｍａｘに一般化され、ここで、Ｃｍａｘは、ＣＣの最大数であり、これは、一定の値（例えば、２（典型的なネットワークのＣＣの数）又は５（ＬＴＥ標準でＣＣの最大可能数））に予め定められ、あるいはこれは、ＵＥ能力に依存することができる（例えば、ＵＥがキャリアアグリゲーションをサポートするか否か；Ｃ個のＣＣをサポートする場合、Ｃｍａｘ＝Ｃ、サポートしない場合、Ｃｍａｘ＝１）。
【０１７４】
第３の方案に対する一つの可能な例は、次のようである。：２９≦ＩＭＣＳ≦３１に対して、ＤＣＩフォーマット０が使用され、ＩＭＣＳ＝２９であるか、あるいはＤＣＩフォーマット４が使用され、１ＴＢのみがイネーブルされ、イネーブルされたＴＢに対してＩＭＣＳ＝２９であり、送信階層の数が１である場合、及び“ＣＳＩ要請”ビットフィールドが１ビットであり、表７.２.１-１によって一つのＣＳＩプロセスに対して非周期的なＣＳＩ報告をトリガし、ＮＰＲＢ≦４であり、あるいは“ＣＳＩ要請”ビットフィールドが２ビットであり、表７.２.１-１によって一つ以上のＣＳＩプロセスに対して非周期的なＣＳＩ報告をトリガし、ＮＰＲＢ≦ｍａｘ｛２０,８Ｐ｝である場合、ＵＬ-ＳＣＨに対する転送ブロックがなく、現在のＰＵＳＣＨ報告モードに対する制御情報フィードバックのみがＵＥ１１６により転送される。
【０１７５】
ＲＡＮ１＃７０ｂｉｓで、ＲＩ基準プロセスに対して以下のように合意がなされる。非周期的なフィードバックに対して、基準プロセスが設定される場合、ＣＳＩプロセスに対してＲＩ−基準−プロセスが構成され得る。プロセスのＲＩは、ＲＩ−基準−プロセスの同一のサブフレームで報告されたＲＩからその値を引き継ぐように設定できる。また、基準ＣＳＩプロセスのない第１のＣＳＩプロセスに対するＲＩ計算は、但し第１のＣＳＩプロセスのみに基づいて導出され、第２のＣＳＩプロセスが基準ＣＳＩプロセスとしての第１のＣＳＩプロセスに設定されたか否かに関係なく、任意の他のＣＳＩプロセスを考慮しない。
【０１７６】
さらに、非周期的なフィードバックに対して、基準プロセスが設定される場合、ＣＳＩプロセスは、基準ＣＳＩプロセスとしての同一のＣＣに対して設定されなければならなく、ランクシグナリング圧縮がなく、基準ＣＳＩプロセスを有するＣＳＩプロセスは、基準ＣＳＩプロセスがトリガされるサブフレームでのみトリガされる。ＵＥ１１６は、上記の条件に一致しないトリガリング命令を受信することが想定されない。
このような合意で、ＣＣ当たり一つまでのＲＩは、ＰＵＳＣＨで転送され、それによってＲＩは、Ｒｅｌ-１０と同一にＰＵＳＣＨで多重化され得る。
【０１７７】
一方、複数のＣＳＩプロセスに対応するＣＱＩ／ＰＭＩに対するコーディング方法を決定することが必要である。Ｒｅｌ-１０でキャリアアグリゲーションを拡張するため、すべてのＣＱＩ／ＰＭＩにかけたジョイントコーディングが望ましい。複数のＣＱＩ／ＰＭＩの順序を決定するために、Ｃ個のセルに対してＰＵＳＣＨトリガリングが存在できると仮定し、ここで、セルｃに対するＣＳＩ報告は、ＸｃＣＳＩプロセスに対するものである。その後、Ｒｅｌ-１０でキャリアアグリゲーションを拡張する自然的な方法は、最低番号のサービングセルから最高番号まで各サービングセルのＣＳＩプロセス番号の昇順に連続してＣＱＩ／ＰＭＩを位置するものである。
【０１７８】
本発明による一定の実施形態において、Ｒｅｌ-１０キャリアアグリゲーションとの共通性を維持するために、ＣｏＭＰに対する非周期的なＣＱＩ／ＰＭＩが以下のようにＰＵＳＣＨで多重化される。ＰＵＳＣＨで多重化されたすべてのＣＱＩ／ＰＭＩに対してジョイントコーディングが適用される。チャンネルコーディングブロックに進入するＣＱＩ／ＰＭＩ情報ビットは、最低番号のサービングセルから最高番号まで、各サービングセルでのＣＳＩプロセスの数の昇順に連続して位置される。
【０１７９】
ＲＡＮ１＃７０ｂｉｓで、ＵＥ−複雑性制御について、次のように合意される。ＣＳＩプロセスに対するＣＳＩ基準リソースは、周期的及び非周期的な報告の全部に対して以下のように決定される。１個の構成されたＣＳＩプロセス（関連したＣＣで）の場合に対して、ＣＳＩ基準リソースは、Ｒｅｌ−１０のように決定され、そうでなければ、サブフレームＮでの周期的及び非周期的な報告の全部に対して、ＣＳＩプロセスのＣＳＩ基準リソースは、サブフレームＮ−ｘで、又は先に発生する最初の有効ＣＳＩ基準リソースである。構成されるサブフレームセットの場合、サブフレームセットの選択は、まだＣＳＩ要請を含むサブフレームに基づき、周期的なＣＳＩ報告に対して、サブフレームセット選択は、Ｒｅｌ−１０定義から変更されない。
【０１８０】
Ｘ個の報告されない非周期的なＣＳＩプロセスを超える複数のＣＳＩ要請である場合、ＵＥ１１６は、最後のＣＳＩ要請に対応する、最低インデックスのＣＳＩプロセスから上向に計数してＸ個を超えるＣＳＩプロセスを更新することが期待されないことを規定することによって、非周期的なフィードバックに対する最悪のケースの処理複雑性を制限し：ＣＳＩプロセスの最大数、Ｐは、ＴＭ１０−可能なＵＥ｛１,３,４｝、Ｘ＝Ｐに対するＵＥ特性である。ＦＤＤに対してｘ＝５である。ｘは、４及び／又は５の間のＴＤＤに対するＦＦＳであり；ＩＭＲ及びＲｅｌ−１１ＱＣＬ動作と共に、最大１ＣＳＩプロセスを有するＵＥのサポートは、ＣＳＩプロセスの数を制限するＵＥ特性を有するＴＭ１０に含まれ、あるいはＴＭ９での新たなＵＥ能力に対するＩＭＲ及びＲｅｌ−１１ＱＣＬ動作を導入する。ＵＥが３又は４個のＣＳＩプロセスをサポートしない限り、ＩＭＲ／ＱＣＬ動作に対するサポートはない。
【０１８１】
このような合意において、キャリアアグリゲーションの場合、非周期的なＣＳＩ報告が報告するＣＳＩプロセスの最大数Ｙは、以下のようにＵＥ性能に基づいて決定される。
【０１８２】
【数２０】
0006462571.tif 000030
【０１８３】
ここで、ｙｃは、コンポーネントキャリア（ＣＣ）のＣＳＩプロセスの最大数であり、Ｃは、構成されたＣＣの数である。一部の実施形態で、すべてのｃ＝１，…，Ｃに対して、ｙｃ＝ｙである。
【０１８４】
また、実施形態の特定の特徴と態様の多様な組み合わせ又は部分的組み合わせがなされ、これら添付の特許請求の範囲に属することが考慮される。例えば、一部の実施形態で、実施形態の一部に対してここに参考として開示され、あるいは含まれた特徴、構成、又は他の詳細は、ここに明確に開示されない新たな実施形態を形成するために他の実施形態に対して開示された他の特徴、構成、又は他の詳細と結合することができる。特徴と構成の組み合わせを有するすべての実施形態は、本発明の一部として考慮される。さらに、別に言及されないと、ここに説明されたステント又はコネクタ実施形態のうちいずれか一つの特徴や詳細もここで必要又は必須的なものとして明確に説明されない場合、開示された実施形態のうちいずれか一つの実施形態に必要であり、あるいは必須なことを意味するものではない。
【０１８５】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１８６】
１０１、１０２、１０３  基地局
１００  無線システム
１１１−１１６  ＵＥ
１２０、１２５  カバレッジエリア
１３０  ネットワーク
２００  送信経路回路
２０５  チャンネルコーディング及び変調ブロック
２１０  直列−並列ブロック
２１５  逆高速フーリエ変換ブロック
２２０  並列−直列ブロック
２２５  プレフィックス追加ブロック
２３０  アップコンバータ（ＵＣ）
２５５  ダウンコンバータ（ＤＣ）
２６０  サイクリックプレフィックス除去ブロック
２６５  直列−並列ブロック
２７０  高速フーリエ変換（ＦＦＴ）ブロック
２７５  並列−直列（Ｐ−ｔｏ−Ｓ）ブロック
２８０  チャンネルデコーディング及び変調ブロック
３００  受信経路回路
４０５  送信器
４１０  受信器
４１５  アンテナアレイ
４２０  位相シフター（phase shifter）
４２５  ＴＸ処理回路（TX processing circuitry）
４３０  制御器
４３５  アンテナ
４４５  Ｒｘ処理回路
４５０  制御器
【図１】
0006462571.tif 000031
【図２】
0006462571.tif 000032
【図３】
0006462571.tif 000033
【図４】
0006462571.tif 000034
【図５】
0006462571.tif 000035